(57)【要約】  洗濯のための商品であって、（ａ）コンパクトな液体洗濯組成物であって、水および非アミノ官能性溶媒を合計で組成物の５重量％〜４５重量％含むコンパクトな液体洗濯組成物と、（ｂ）コンパクトな液体洗濯洗剤組成物を放出可能に保存する水不溶性容器と、を含み、組成物が、２０ｓ−１で測定されるとき、１Ｐａ．ｓ（１，０００ｃｐｓ）〜１０Ｐａ．ｓ（１０，０００ｃｐｓ）の純粘度Ｖｎと、２０ｓ−１で測定されるとき、０．５Ｖｎ以下の希釈粘度Ｖｄと、を有し、好ましくは、洗濯組成物が希釈で薄まり、水不溶性容器がスクイーズ容器およびポンプ容器から選択される、商品。
2009536250.tif 000002
【特許請求の範囲】
【請求項１】
洗濯のための商品であって、
（ａ）コンパクトな液体洗濯組成物であって、水および非アミノ官能性溶媒を合計で前記組成物の５重量％〜４５重量％含むコンパクトな液体洗濯組成物と、
（ｂ）前記コンパクトな液体洗濯洗剤組成物を放出可能に保存する水不溶性容器と、を含み、
前記組成物が、２０ｓ−１で測定されるとき、１Ｐａ．ｓ（１，０００ｃｐｓ）〜１０Ｐａ．ｓ（１０，０００ｃｐｓ）の純粘度Ｖｎと、２０ｓ−１で測定されるとき、０．５Ｖｎ以下の希釈粘度Ｖｄと、を有し、
好ましくは、前記洗濯組成物が希釈で薄まり、前記水不溶性容器がスクイーズ容器およびポンプ容器から選択される、商品。
【請求項２】
洗濯のための商品であって、
（ａ）コンパクトな液体洗濯洗剤であって、
（ｉ）前記組成物の少なくとも１０重量％の界面活性剤と、
（ｉｉ）前記組成物の少なくとも０．０５重量％の香料と、
（ｉｉｉ）前記組成物の１重量％〜３０重量％、好ましくは、５重量％〜３０重量％の水と、
（ｉｖ）前記組成物の１重量％〜１５重量％の非アミノ官能性溶媒と、を含み、
前記水と前記非アミノ官能性溶媒との合計が、前記組成物の５重量％〜４５重量％以下であり、前記組成物が、２０ｓ−１で測定されるとき、１Ｐａ．ｓ（１，０００ｃｐｓ）〜１０Ｐａ．ｓ（１０，０００ｃｐｓ）の純粘度Ｖｎと、２０ｓ−１で測定されるとき、０．５Ｖｎ以下の希釈粘度Ｖｄと、を有するコンパクトな液体洗濯洗剤と、
（ｂ）前記コンパクトな液体洗濯洗剤組成物と直接接触し、かつ前記コンパクトな液体洗濯洗剤組成物を放出可能に保存する水不溶性容器と、を含む、商品。
【請求項３】
前記コンパクトな液体洗濯洗剤が、前記界面活性剤によって内部で構造化される、請求項２に記載の商品。
【請求項４】
前記界面活性剤がアニオン性界面活性剤、石鹸、およびそれらの混合物から選択され、前記界面活性剤がナトリウム、カリウム、アミノ官能性カチオンおよびそれらの組合わせから選択されるカチオンを有し、前記界面活性剤が、前記組成物の５重量％未満のアミンオキシドおよび／またはベタインを含む、請求項２または３に記載の商品。
【請求項５】
前記アミノ官能性カチオンが、非アルカノール官能化モノアンモニウムおよびジアンモニウムを実質的に含まない、請求項４に記載の商品。
【請求項６】
前記コンパクトな液体洗濯洗剤が、パールエッセンス、オパールエッセンス、キレート剤、ポリマー、酵素、酵素阻害剤、増白剤、ビルダー、移染防止剤、染料、染料色忠実度安定剤、漂白触媒および／または漂白促進剤、漂白活性化剤、緩衝剤、抗菌剤、ＵＶ吸収体、布地柔軟添加剤、石鹸泡促進剤、石鹸泡抑制剤、分散剤、加工助剤、汚れ放出ポリマー、中和剤、ハイドロトロープ、増粘剤、構造剤およびそれらの混合物から選択される補助剤を含む、請求項１〜５のいずれか１項に記載の商品。
【請求項７】
前記補助剤が、前記組成物の３重量％〜２０重量％の中和剤を含み、前記コンパクトな液体洗濯洗剤組成物が研磨剤、漂白剤および／または有機ジアミンを実質的に含まず、好ましくは、前記補助剤が、
前記組成物の０重量％〜０．１重量％の非染色性染料と、前記組成物の０．００１重量％〜１重量％の染料色忠実度安定剤、好ましくは還元剤、さらに好ましくは亜硫酸水素ナトリウムから選択されるものと、を含む、請求項１〜６のいずれか１項に記載の商品。
【請求項８】
前記水不溶性容器が、
前記コンパクトな液体洗濯洗剤を保存するための変形可能な容器であって、下端部および前記下端部の開口部を有する変形可能な容器と、
前記変形可能な容器の前記下端部に取り外し可能に取り付けられ、少なくとも前記下端部の前記開口部を覆う分注キャップと、を含む、請求項１〜７のいずれか１項に記載の商品。
【請求項９】
前記分注キャップが、前記下端部の前記開口部と流体連通する閉口可能な放出開口部をさらに含む、請求項２に記載の商品。
【請求項１０】
洗剤の予め測定された１回量を分注し、布地を洗濯するための、請求項２に記載の商品の使用。
【発明の詳細な説明】
【技術分野】
【０００１】
本発明は、洗濯用、液体組成物の保存および分注用の商品に関する。
【背景技術】
【０００２】
液体やジェルのような液体洗濯製品は、固形状の洗剤よりも、多くの消費者に好まれる。また、多くの消費者は、その洗濯洗剤製品の性能を犠牲にしないことを望みつつ、資源を保護し無駄をなくそうと努める。さらに、ある国においては、大きいごみのパッケージ（例えば、プラスチック容器など）の処理には、ごみ分類などの面倒なリサイクル工程を必要であり、消費者にとっては費用がかかる。従って、濃縮洗濯製品またはいわゆるコンパクトな洗濯製品に高い関心がある。
【０００３】
液体洗濯洗剤の圧縮は、技術的に問題がある。例えば、水および／または溶媒の容量を削減することにより、一般的に液体洗濯洗剤の粘度が増す。制御されない場合、圧縮による粘度のこのような増加は、使用中の適度な分注、相分離、溶解不良などの困難を増幅するような問題を引き起こす。過度に粘稠な製品は、容器から分注できない、または分注する場合に分注しにくい可能性がある。その一方、非常に低い粘度を有する組成物は、多くの場合、洗浄成分の好適なレベルを果たすには実用的ではなく、また消費者にとって十分な価値もない。
【０００４】
コンパクトな液体洗濯洗剤および分注容器を含む商品を提供する上での問題を解決するには、製品製剤と分注容器の選択肢が、戸惑うほど多様に生じ、密接に関係しているため、配合者と包装技術者との間の学際的協力が必要となる。例えば、過度に粘稠な液体洗濯洗剤は、良好なクリーニング性能を有するように配合者により設計され得るが、コンパクトな液体洗剤は、それ自体が分注カップに不均一に分配され、分注された容量を読むまたは測定することを困難にするため、容量測定によって計量カップで分注することが厄介になる、またはそれが不可能ともなる場合がある。その一方で、製剤の特性を考慮せずに包装技術者により提供される包装の解決法は、多くの場合、役にたたないことが明らかである。
【発明の開示】
【発明が解決しようとする課題】
【０００５】
従って、既存のコンパクトではない洗濯洗剤または希釈洗濯洗剤に性能が匹敵する濃縮またはコンパクトな液体洗濯洗剤の必要性が依然として残る。理想的には、任意のこのような同等の濃縮またはコンパクトな液体洗濯洗剤が、使用しやすく、消費者に審美的に魅力的な方法で提供されるであろう。
【課題を解決するための手段】
【０００６】
本発明の一態様は、
洗濯のための商品であって、
（ａ）コンパクトな液体洗濯組成物であって、水および非アミノ官能性溶媒を合計で組成物の約５重量％〜約４５重量％含むコンパクトな液体洗濯組成物と、
（ｂ）コンパクトな液体洗濯洗剤組成物を放出可能に保存する水不溶性容器と、を含み、
組成物が、２０ｓ−１で測定されるとき、約１Ｐａ．ｓ（１，０００ｃｐｓ）〜約１０Ｐａ．ｓ（１０，０００ｃｐｓ）の純粘度Ｖｎと、２０ｓ−１で測定されるとき、約０．５Ｖｎ以下の希釈粘度Ｖｄと、を有する商品に関する。
【０００７】
本発明の別の態様は、洗濯のための商品であって、
（ａ）コンパクトな液体洗濯洗剤であって、
（ｉ）組成物の少なくとも１０重量％の界面活性剤と、
（ｉｉ）組成物の少なくとも０．０５重量％の香料と、
（ｉｉｉ）組成物の約１重量％〜約３０重量％の水と、
（ｉｖ）組成物の約１重量％〜約１５重量％の非アミノ官能性溶媒と、を含み、
水と非アミノ官能性溶媒との合計が、組成物の約５重量％〜４０重量％であり、組成物が、２０ｓ−１で測定されるとき、約１Ｐａ．ｓ（１，０００ｃｐｓ）〜約１０Ｐａ．ｓ（１０，０００ｃｐｓ）の純粘度Ｖｎと、２０ｓ−１で測定されるとき、約０．５Ｖｎ以下の希釈粘度Ｖｄと、を有するコンパクトな液体洗濯洗剤と、
（ｂ）コンパクトな液体洗濯洗剤組成物と直接接触し、かつコンパクトな液体洗濯洗剤組成物を放出可能に保存する水不溶性容器と、を含む商品に関する。
【０００８】
本発明の別の態様は、洗濯用、接触する液体組成物の保存および分注用の商品であって、
（ａ）コンパクトな液体洗濯洗剤組成物であって、
（ｉ）組成物の約２０重量％〜約５０重量％のアニオン性界面活性剤、非イオン性界面活性剤およびそれらの混合物からなる群から選択される界面活性剤と、
（ｉｉ）組成物の約０．０５重量％〜約３重量％の香料と、
（ｉｉｉ）組成物の約５重量％〜約３０重量％の水と、
（ｉｖ）組成物の約３重量％〜約１０重量％の非アミノ官能性溶媒と、
（ｖ）組成物の約７重量％〜約２０重量％の石鹸と、
（ｖｉ）組成物の約０重量％〜約１重量％のハイドロトロープおよび／または外部構造増粘剤と、
（ｖｉｉ）組成物の約０重量％〜約５重量％のアミンオキシドおよび／またはベタインと、を含み、
水および非アミノ官能性溶媒の合計は、組成物の少なくとも約１５重量％〜約３５重量％であり、コンパクトな液体洗濯洗剤は、２０ｓ−１で測定されるとき、約１Ｐａ．ｓ（１，０００ｃｐｓ）〜約１０Ｐａ．ｓ（１０，０００ｃｐｓ）の純粘度Ｖｎと、２０ｓ−１で測定されるとき、約０．５Ｖｎ以下の希釈粘度Ｖｄと、を有するコンパクトな液体洗濯洗剤組成物と、
（ｂ）コンパクトな液体洗濯洗剤組成物と直接接触し、かつコンパクトな液体洗濯洗剤組成物を放出可能に保存する水不溶性容器と、を含む商品に関する。
【発明を実施するための最良の形態】
【０００９】
商品−一実施形態では、本発明は、コンパクトな液体洗濯洗剤と、コンパクトな液体洗濯洗剤に直接接触し、かつ放出可能に保存する水不溶性容器と、を含む、洗濯用、液体組成物の保存および分注用の商品を対象とする。
【００１０】
コンパクトな液体洗濯洗剤組成物−本明細書で使用するとき、「コンパクトな液体洗濯洗剤組成物」は、家庭用洗濯機で、例えば衣類などの繊維を濡らし洗浄することができる液体を含む、任意の洗濯処理組成物を示す。組成物は、適切に分類された形態で固形物またはガスを含むことができるが、全体的な組成物は、錠剤または粒剤などの概して非液体の製品形態は除外する。また概してガスである組成物も除外される。コンパクトな液体洗剤組成物は、存在する場合に、任意の固体の添加物を除外するが、任意の泡を含んで、１立方センチメートルあたり、約０．９グラム〜約１．３グラム、さらに具体的には、約１．００グラム〜約１．１０グラムの範囲の密度を有する。
【００１１】
コンパクトな液体洗濯洗剤組成物の例としては、自動洗濯機の洗濯サイクルで使用するための強力液体洗濯洗剤、デリケートな衣類（例えば絹または羊毛で出来ているもの）用であって、手洗いまたは自動洗濯機の洗濯サイクルのいずれかによる洗濯に適するもののような液体おしゃれ着洗剤（finewash）および液体色柄もの用洗剤（color care detergent）が挙げられる。ジェルまたはペーストとして知られる、流動可能であるがまだ固い稠度を有する対応する組成物が、同様に含まれる。ずり減粘ジェルのレオロジーは、文献により詳細に記載されている（例えばＷＯ０４０２７０１０Ａ１（ユニリーバ（Unilever））を参照のこと）。
【００１２】
一般的に、本明細書におけるコンパクトな液体洗濯洗剤組成物は等方性、または非等方性であってもよい。しかしながら、いくつかの具体的な実施形態に関して、それらは通常、当該技術分野において記述される相分離洗剤のように別々の層へ分離しない。１つの例示的な組成物は、非等方性であり、保管中に（ｉ）２層に分離しないか、または（ｉｉ）組成物が複数の層に分離する場合、単一の主要層が存在し、組成物の少なくとも約８０重量％、さらに具体的には約９０重量％以上、またさらに具体的には約９５重量％以上を構成する。他の例示的な組成物は、等方性である。
【００１３】
本明細書で使用するとき、本発明の組成物および／または方法は、特定の成分を「実質的に含まない」場合、具体的には、特定の成分は意図的に組成物に一切加えられない、またはいずれにしても機能的に有用な量を加えられないことを意味する。様々な成分の微量が不純物として存在する場合があるということが当業者に理解されよう。誤解を避けるために、「実質的に含まない」とは、組成物が、組成物の約０．１重量％未満、具体的には０．０１重量％未満の有効成分を含むことを意味するように解釈されるものとする。
【００１４】
一実施形態では、コンパクトな液体洗濯洗剤は研磨剤、漂白剤、およびまたは有機ジアミンを実質的に含まない。
【００１５】
一実施形態では、コンパクトな液体洗濯洗剤組成物は希釈で薄まり、特定の非希釈および希釈の高ずり粘度を有し、具体的には、特定の純生成物低ずり粘度および高ずり粘度を有するずり減粘である。本実施形態において、水不溶性容器は、コンパクトな液体洗濯洗剤組成物および水不溶性容器が、一緒に物品に組み込まれるとき、制御可能な汚れない投与などの良好な消費者の承認を促進し、布地を洗濯するための組成物の溶解および有効作用を保証するように、特別に適合される。
【００１６】
（ｉ）界面活性剤−本発明の組成物および方法は、１つ以上の界面活性の薬剤（界面活性剤）を含む。一実施形態では、界面活性剤は、境界面での界面張力の減少に起因する「洗浄性」または洗浄効果を有する、少なくとも部分的に水溶性である界面活性剤、通常完全に水溶性である界面活性剤から選択される。
【００１７】
別の実施形態では、界面活性剤は、アニオン性界面活性剤、非イオン性界面活性剤、カチオン性界面活性剤、両性界面活性剤、双極性界面活性剤、石鹸およびそれらの混合物から選択される。
【００１８】
界面活性剤は、液体洗濯洗剤組成物の少なくとも約１０重量％、具体的には１０重量％〜約７５重量％、さらに具体的には、約２０重量％〜約７０重量％、さらにより具体的には約４０重量％〜約６０重量％を構成する。
【００１９】
一実施形態では、界面活性剤は、実質的に直鎖である。
【００２０】
別の実施形態では、コンパクトな液体洗濯洗剤組成物は界面活性剤によって内部で構造化され、液体洗濯洗剤は流動性を有する液体、ジェルまたはペーストの物理的形状を有する。
【００２１】
一実施形態では、界面活性剤は、組成物、さらに具体的にはアミンオキシドおよび／またはＣ８〜Ｃ１８ベタインなどの両性界面活性剤を含まない組成物の約５重量％、具体的には約０重量％〜約５重量％未満を構成する。
【００２２】
本明細書で有用な界面活性剤の例証的な実施例は、米国特許第３，６６４，９６１号（１９７２年５月２３日発行、ノリス（Norris））、米国特許第３，９１９，６７８号（１９７５年１２月３０日発行、ラフリン（Laughlin）ら）、米国特許第４，２２２，９０５号（１９８０年９月１６日発行、コックレル（Cockrell））、米国特許第４，２３９，６５９号（１９８０年１２月１６日発行、マーフィー（Murphy））、米国特許第４，２８５，８４１号（１９８１年８月２５日発行、バラット（Barrat）ら）、米国特許第４，２８４，５３２号（１９８１年８月１８日発行、レイクヒム（Leikhim）ら）、米国特許第４，２８５，８４１号、米国特許第３，９１９，６７８号および米国特許第２，２２０，０９９号並びに第２，４７７，３８３号に記載されている。界面活性剤は、一般的に既知であり、カーク・オスマーの工業化学百科事典、３版、２２巻、３６０〜３７９ページ、「界面活性剤および洗浄系（Surfactants and Detersive Systems）」、Ｍ．Ｃ．パブリッシング・カンパニー（M.C.Publishing Co.）のマカッチャンの洗剤および乳化剤（McCutcheon's Detergents & Emulsifiers）（北アメリカ版１９９７年）、シュワルツ（Schwartz）らの界面活性剤、それらの化学および技術（Surface Active Agents,Their Chemistry and Technology）、１９４９年、ニューヨーク：インターサイエンスパブリッシャーズ（Interscience Publishers）にさらに詳細に記載され、さらなる情報および実施例は「界面活性剤および洗剤（Surface Active Agents and Detergents）」（シュワルツ（Schwartz）、ペリー（Perry）およびバーチ（Berch）による、第１巻および２巻）に記載される。液体洗剤に関し、同書の章は特に強力液体洗濯洗剤に関する、ニューヨークのマルセルデッカー社（Marcel Dekker）より出版された、界面活性剤の科学シリーズ（Surfactant Science Series）、第６７巻および１２９巻も参照のこと。
【００２３】
非イオン性界面活性剤−一実施形態では、本発明の組成物および方法は、非イオン性界面活性剤または非イオン性界面活性剤が任意成分である界面活性剤の混合物を含んでもよい。２つ以上の非イオン性界面活性剤を含む、２つ以上の界面活性剤の混合物を使用することができる。
【００２４】
好適な非イオン性界面活性剤の例証的な実施例としては、アルコールエトキシレート（例えば、シェルケミカル社（Shell Chemical Co.）からのネオドール２５−９（Neodol 25-9））、アルキルフェノールエトキシレート（例えば、ユニオンカーバイド社（Union Carbide Corp.）からのタージトールＮＰ−９（Tergitol NP-9））、アルキルポリグルコシド（例えば、ヘンケル社（Henkel Corp.）からのグルカポン６００ＣＳ（Glucapon 600CS））、ポリオキシエチレン化ポリオキシプロピレングリコール（例えば、ＢＡＳＦ社（BASF Corp.）からのプルロニックＬ−６５（Pluronic L-65））、ソルビトールエステル（例えば、ヘンケル社（Henkel Corp.）からのエムソーブ２５１５（Emsorb 2515））、ポリオキシエチレン化ソルビトールエステル（例えば、ヘンケル社（Henkel Corp.）からのエムソーブ６９００（Emsorb 6900））、アルカノールアミド（例えば、ローヌ・プーラン社（Rhone-Poulenc Co.）からのアルカミドＤＣ２１２／ＳＥ（Alkamide DC212/SE））、およびＮ−アルキルピロリドン（例えば、ＩＳＰテクノロジーズ社（ISP Technologies Inc.）からのスルファドンＬＰ−１００（Surfadone LP-100）、並びにそれらの組合わせが挙げられる。さらに、例示的な好適な非イオン性界面活性剤は、米国特許第４，３１６，８１２号および同第３，６３０，９２９号に開示されるものである。
【００２５】
非イオン性界面活性剤は、組成物中に存在する場合、組成物の約０．０１重量％〜約７０重量％、具体的には約１重量％〜約４０重量％、さらに具体的には約５重量％〜約２０重量％の量で存在してもよい。
【００２６】
アニオン性界面活性剤−本明細書で使用するとき、用語「アニオン性界面活性剤」は、石鹸以外のアニオン性界面活性剤を示す。本発明の組成物および方法は、他の界面活性剤が存在しない場合に必須界面活性剤としてアニオン性界面活性剤を含み、またはアニオン性界面活性剤が任意成分である界面活性剤の混合物を含む。２つ以上のアニオン性界面活性剤を含む２つ以上の界面活性剤の混合物、またはそれらの非イオン性界面活性剤との混合物が使用することができる。
【００２７】
好適なアニオン性界面活性剤は、ＬＡＳ、ＡＥＳ（ＳＬＥＳと呼ばれる場合もある）、ＭＥＳおよびそれらの混合物を含む。
【００２８】
化学式の平衡のため、ＬＡＳは通常、酸性（即ちＨＬＡＳ）形態に配合され、その後、ＮａＬＡＳ、ＫＬＡＳ、アルカノールアンモニウムＬＡＳなどを形成するようにその位置で、中和されるか、または少なくとも部分的に中和されるということに留意することが有用である。他の一般的なアニオン性界面活性剤は、通常、前中和された形態に配合される。
【００２９】
好適なアニオン性界面活性剤の例証的な実施例としては、直鎖アルキルベンゼンスルホン酸塩（例えば、ビスタケミカル社（Vista Chemical Co.）から市販されるビスタＣ−５００（Vista C-500））、分岐直鎖アルキルベンゼンスルホン酸塩（例えばＭＬＡＳ）、アルキルサルフェート（例えば、ステパン社（Stepan Co.）から市販されるポリステップＢ−５（Polystep B-5））、分岐アルキルサルフェート、アルキルアルコキシサルフェート（例えば、ステパン社（Stepan Co.）から市販されるスタンダポールＥＳ−３（Standapol ES-3））、αオレフィンスルホネート（例えば、ウイトコ社（Witco Corp.）から市販されるウイトコネートＡＯＳ（Witconate AOS））、αスルホメチルエステル（例えば、ステパン社（Stepan Co.）から市販されるアルファステップＭＣｐ−４８（Alpha-Step MCp-48）、およびイセチオネート（例えば、ＰＰＧインダストリーズ（PPG Industries Inc.）から市販されるジョーダポンＣｌ（Jordapon Cl）、およびそれらの組み合わせが挙げられる。
【００３０】
アニオン性界面活性剤は、任意の好適なカチオンを対イオンとして有してもよい。またカチオンの混合物も可能である。アニオン性界面活性剤に好適なカチオンの例証的な実施例としては、ナトリウム、カリウム、アンモニウム、置換アンモニウム、アルカノールアンモニウムなどのアミノ官能性カチオンなど、並びにそれらの混合物が挙げられる。一実施形態では、界面活性剤は、非アルカノール官能化のモノアンモニウムカチオンおよびジアンモニウムカチオンを含まない。
【００３１】
一実施形態では、本発明の組成物および方法に存在するアニオン性界面活性剤の一部分は、その場で中和されてもよく、即ち、コンパクトな液体洗濯洗剤組成物の調製中、アニオン性界面活性剤の一部分は、その酸性型または非中和型に加えられ、例えばアルキルベンゼンスルホン酸塩の酸性型または中和型は、アルキルベンゼンスルホン酸であり、その後非中和化アニオン性界面活性剤は、すでに組成物中に存在するか、非中和化アニオン性界面活性剤の追加の後に追加される、ＮａＯＨ、モノエタノールアミン、ジエタノールアミンなどの中和剤で中和される。別の実施形態では、非中和化アニオン性界面活性剤は、組成物に加えられる直前に中和剤で中和される。好適な中和剤に関するさらなる情報は、本明細書に見出すことができる。
【００３２】
アニオン性界面活性剤は、組成物中に存在する場合、洗剤組成物の約０．０１重量％〜約７０重量％、さらに具体的には約１０重量％〜約５０重量％、またさらに具体的には約２０重量％〜約４０重量％の量で存在してもよい。
【００３３】
アニオン性界面活性剤対非イオン性界面活性剤の比率−本発明の組成物および方法の一実施形態では、アニオン性界面活性剤対非イオン性界面活性剤の重量比は、約１：１〜約５：１、さらに具体的には、約２：１以上〜約５：１であり、界面活性剤は、組成物の約１０重量％〜約５０重量％、さらに具体的には約２０重量％〜約４０重量のアニオン性界面活性剤を含み、組成物の約５重量％〜約４０重量％、さらに具体的には約１０重量％〜約３０重量％の石鹸を含む。
【００３４】
石鹸−本明細書に定義される石鹸は、脂肪酸およびその可溶性塩を含む。脂肪酸および／または石鹸或いはその誘導体は、界面活性剤、ビルダー、増粘剤、泡抑制剤などとして作用し、洗剤において多官能性を有することが既知である。従って、誤解を避けるためと化学式の平衡のために、本明細書の好適な実施形態において、石鹸および脂肪酸は別々に記載される。さらに、石鹸は、一般に、水酸化ナトリウム、水酸化カリウムおよび／またはＭＥＡなどのアルカノールアミンなどの中和剤を使用して、製剤においてその場で中和されるか、または部分的に中和される。
【００３５】
石鹸は、任意の好適なカチオンを対イオンとして有してもよい。カチオンの混合物もまた可能である。石鹸に好適なカチオンの例証的な実施例としては、ナトリウム、カリウム、アンモニウム、置換アンモニウム、アルカノールアンモニウムなどのアミノ官能性カチオンなど、並びにそれらの混合物が挙げられる。一実施形態では、石鹸は、非アルカノール官能化のモノアンモニウムカチオンおよびジアンモニウムカチオンを含まない。
【００３６】
ラウリル酸、ミリスチン酸、パルミチン酸、ステアリン酸、オレイン酸、リノール酸、リノレン酸、およびそれらの混合物を含む、任意の可溶性の石鹸または脂肪酸は、本明細書での使用に好適である。通常錯体混合物である、自然に得られる脂肪酸もまた好適である（タロー脂肪酸、ヤシ脂肪酸およびパーム核脂肪酸など）。一実施形態では、組成物の約１０重量％〜約２５重量％の脂肪酸が組成物に存在してもよい。
【００３７】
一実施形態では、石鹸は約５０％より高い中和度を有する。別の実施形態では、界面活性剤は組成物の約０重量％〜約４０重量％未満の石鹸を含む。
【００３８】
カチオン性および／またはアミンオキシド系および／または双極性イオン性および／または両性の界面活性剤−好適なカチオン性界面活性剤は、ニューヨークのマルセルデッカー社（Marcel Dekker）より出版された、クオ・ヤン・ライ（Kuo Yann Lai）編による界面活性剤の科学シリーズ（Surfactant Science Series）、第６７巻、および米国２００３／０１９９４１４Ａ１のコラム９［１３５］〜［１３７］に記載される。カチオン性界面活性剤の好適なレベルは、組成物中に存在する場合、組成物の約０．０１重量％〜約２０重量％、具体的には、約１重量％〜約１０重量％、さらに具体的には、約２重量％〜約５重量％である。或いは、Ｃ８〜Ｃ１８アルキルジメチルアミン−Ｎ−オキシド、Ｃ８〜Ｃ１８双極性界面活性剤、Ｃ８〜Ｃ１８両性界面活性剤および／またはＣ８〜Ｃ１８アルキルアミドプロピルアミン界面活性剤（ＡＰＡ）などのアミンオキシド系界面活性剤が、同様のレベルで使用されてもよい。そのような界面活性剤の混合物も使用できる。
【００３９】
（ｉｉ）香料−１つの特定の補助剤は香料である。本明細書で使用するとき、「香料」は、広い意味では、プロ香料を含めて快適または魅力的な香りを拡散するか、または付与する任意の物質を含む。本発明の組成物および方法に有用な香料および香料成分は、アルデヒド、ケトン、エステル、持続的香料成分、ブルーミング香料成分、低臭気検知閾値香料成分、天然香料油成分などを含むがこれらに限定されない、広範囲の天然および合成の化学成分を含む。特定の一実施形態において、該香料は少なくとも１つのエッセンシャルオイルを含む。別の具体的な実施例では、香料は抽出物を含む。また、様々な天然抽出物および天然エキスも挙げられ、これらは、オレンジ油、レモン油、バラ抽出物、ラベンダー、ムスク、パチョリ、バルサムエキス、ビャクダン油、パイン油、シーダーなどの成分の複雑な混合物を含み得る。最終的な香料には、前述の成分の極めて複雑な混合物が含まれ得る。香料およびその構成成分に関するさらなる情報は、米国特許出願公開第２００３／０１０４９６９Ａ１号、米国特許第６，１９４，３６２号、米国特許第６，１４３，７０７号、米国特許第６，４９１，７２８号、米国特許第５，３７８，４６８号、米国特許第５，６２６，８５２号、米国特許第５，７１０，１２２号、米国特許第５，７１６，９１８号、米国特許第５，７２１，２０２号、米国特許５，７４４，４３５号、米国特許第５，７５６，８２７号、米国特許第５，８３０，８３５号、米国特許第５，９１９，７５２号、２０００年１月２０日公開の国際公開特許ＷＯ００／０２９８６、および２００１年１月１８日公開の国際公開特許ＷＯ０１／０４２４８で見出だすことができる。
【００４０】
香料は、存在する場合、具体的には、本明細書の組成物の約０．００１重量％〜約１０重量％、さらに具体的には、約０．１重量％〜約３重量％を構成する。
【００４１】
（ｉｉｉ）水−本発明によるコンパクトな洗剤組成物は、水も含む。本明細書の組成物に存在する水の量は、従来の液体洗濯洗剤組成物と比較して比較的少なく、好ましくは、洗浄組成物の約１重量％〜約３０重量％、具体的には約５重量％〜約２５重量％であるだろう。
【００４２】
一実施形態では、使用される水は蒸留水、脱イオン水、濾水、逆浸透処理水、およびそれらの組み合わせから選択される。本発明の別の任意の実施形態では、水は例えば水道用水処理場から得られるようないかなる飲料水であってもよい。
【００４３】
（ｉｖ）非アミノ官能性溶媒−本明細書で使用するとき、「非アミノ官能性溶媒」は、アミノ官能基を含まない任意の溶媒を示す。非アミノ官能性溶媒としては、例えば、メタノール、エタノールおよび／またはプロパノールおよび／または１−エトキシペンタノールなどのＣ１〜Ｃ５アルカノール、Ｃ２〜Ｃ６ジオール、Ｃ３〜Ｃ８アルキレングリコール、Ｃ３〜Ｃ８アルキレングリコールモノ低級アルキルエーテル、グリコールジアルキルエーテル、低分子量ポリエチレングリコール、グリセロールなどのＣ３〜Ｃ９トリオール、およびそれらの混合物が挙げられる。さらに具体的には、非アミノ官能性溶媒は、周囲温度および周囲圧力（即ち２１℃および１気圧）で液体であり、炭素、水素および酸素を含む。存在する場合に、非アミノ官能性溶媒は、本明細書で、組成物の約０重量％〜約１０重量％、具体的には約０重量％〜約７重量％、さらに具体的には約２重量％〜約５重量％を構成する。
【００４４】
一実施形態では、水および非アミノ官能性溶媒の合計は、組成物の５重量％〜４５重量％であり、具体的には組成物の１０重量％〜３０重量％、具体的には組成物の約４０重量％以下、さらに具体的には３５重量％以下、よりさらに具体的には３０重量％以下、またさらにより具体的には２５重量％以下であり、具体的には組成物の約０重量％〜約１０重量％以下、さらに具体的には約７重量％以下、よりさらに具体的には約２重量％〜約５重量％の非アミノ官能性溶媒を有する。
【００４５】
粘度−一実施形態では、本明細書の組成物および方法は、２０ｓ−１で測定されるとき、約１Ｐａ．ｓ（１，０００ｃｐｓ）（または同等に、ミリパスカル秒（ｍＰａｓ））〜約１０Ｐａ．ｓ（１０，０００ｃｐｓ）、具体的には、２０ｓ−１で測定されるとき、約２Ｐａ．ｓ（２，０００ｃｐｓ）〜約５Ｐａ．ｓ（５，０００ｃｐｓ）の純粘度Ｖｎを有し、２０ｓ−１で測定されるとき、約０．５Ｖｎ以下であり、具体的には、２０ｓ−１で測定されるとき、約０．３Ｖｎ未満である希釈粘度Ｖｄを有する。本明細書で使用するとき、「純粘度Ｖｎ」とは希釈されていないコンパクトな液体洗濯洗剤の粘度を示す。本明細書で使用するとき、「希釈粘度Ｖｄ」は、本発明のコンパクトな液体洗濯洗剤、または本発明の方法で調製および／若しくは使用される液体洗濯洗剤組成物の５０重量％水溶液の粘度を示す。別のより具体的な実施形態では、コンパクトな液体洗剤組成物がずり減粘する場合、組成物は０．５ｓ−１で測定されるとき、約１０Ｐａ．ｓ（１０，０００ｃｐｓ）〜約５００Ｐａ．ｓ（５００，０００ｃｐｓ）の低ずり純粘度Ｖｌｓ、さらに具体的には０．５ｓ−１で測定されるとき、約１０Ｐａ．ｓ（１０，０００ｃｐｓ）〜約１００Ｐａ．ｓ（１００，０００ｃｐｓ）の低ずり純粘度Ｖｌｓを特徴としてもよい。
【００４６】
組成物の希釈粘度Ｖｄを決定するために水溶液を調製するために使用される水は脱イオン水である。
【００４７】
希釈手順および粘度測定は、本明細書で、以下で実施例において記載される。
【００４８】
審美学−コンパクトな液体洗濯洗剤組成物および水不溶性容器は任意の所望の外観または審美を有してもよい。コンパクトな液体洗濯洗剤組成物水および不溶性容器は、任意の色或いは外観が、パールエッセンス液体のように不透明、透明或いは半透明であってもよい。一実施形態では、コンパクトな液体洗濯洗剤組成物は、空気または気泡、懸濁液滴、単一または多重のエマルション液滴、懸濁粒子など、およびそれらの組み合わせを含んでもよい。好適な大きさは、約０．１ミクロン〜約５ｍｍ、より具体的には約２０ミクロン〜約１ｍｍである。これらの任意の懸濁液体および／または粒子は、別々の実体（即ち、異なる色、形状、質感など、およびこれらの組み合わせなど）として可視である。これらの懸濁液および／または粒子は、異なる色、質感、またはコンパクトな液体洗濯洗剤組成物の他の部分と視覚的に区別できるその他の特徴があってもよい。
【００４９】
さらに、水不溶性容器およびコンパクトな液体洗濯洗剤組成物は、どんな色でもよく、どのような色の組合わせでもよい。用語「色」は、すべての可視スペクトルの色、即ち、赤、オレンジ、黄、緑、青、青緑、茶、紫、薄紫、シーグリーン、黄褐色、濃紺、スミレ色、ピンクなどだけではなく、濃い青、薄い青、薄い緑など、これらの色の色合い、色調、色相など、またさらに黒、白、および灰色、並びにこれらの色のすべての色合い、色調、色相も含むということもまた理解される。さらには、水不溶性容器およびコンパクトな液体洗濯洗剤組成物は、例えば、多様な屈折率効果、パールエッセンス効果、オパールエッセンス効果、屈折効果、ホログラフィー効果、メタリック色、光沢仕上げ、つや消し仕上げなど、およびこれらの組み合わせの任意のさらなる視覚的な処理をさらに有してもよい。
【００５０】
別の実施形態では、コンパクトな液体洗濯洗剤組成物は、２つ以上の視覚的に識別できる範囲を含んでもよい。各範囲は、それ自体が１つ以上の特有の物理的相を含むことができる。本明細書で使用するとき、「視覚的に識別できる」という用語は、水不溶性容器の中で、または分注するときに視覚的に異なる範囲を示す組成物を表す。これらの異なる範囲は、はっきりと分離しているか、またはコンパクトな液体洗濯洗剤組成物が裸眼で見える限りで部分的に混合しているかのいずれかである。これらの視覚的に識別できる範囲の組み合わせは、例えば、ストライプ模様、マーブル模様、直線模様、分断ストライプ模様、チェック模様、まだら模様、縞模様、クラスター模様、スペックル模様、幾何学模様、斑点模様、リボン模様、ヘリカル模様、渦巻き模様、配列模様、斑紋状模様、型押し模様、溝模様、畝模様、波状模様、正弦波模様、螺旋模様、ねじれ模様、曲線模様、サイクル模様、筋模様、線状模様、輪郭模様、異方性模様、レース模様、織物模様、バスケット織り模様、斑点模様、およびモザイク模様を含む、すべての多様な模様を作るために選ぶことができる。模様は、ストライプ模様であってもよく、任意の容器の寸法にわたって相対的に均一および一様であってもよい。或いは、ストライプ模様は、一様でなくてもよく、即ち波形であってもよいし、または寸法において均一でなくてもよい。ストライプ模様は、必ずしも任意の容器の寸法全体にわたって伸びている必要はない。
【００５１】
用語「ストライプ」は、本明細書で使用するとき、コンパクトな液体洗濯洗剤組成物に存在する各相は、保存される水不溶性容器の内側の別々で個別の物理空間を占めるが、互いに直接接触する（即ち、バリアによって分離されず、かなりの任意程度までは乳化または混合されない）。ストライプは、水不溶性容器の寸法にわたって相対的に均一および一様であってもよい。或いは、ストライプは、一様でなくてもよく、即ち波形であってもよいし、または寸法において均一でなくてもよい。ストライプは、必ずしも水不溶性容器の寸法全体にわたって伸びている必要はない。「ストライプ」は、様々な幾何学模様、様々な色、およびまたは輝き、若しくは真珠光沢を含むことができるが、ただしこれらの濃度が視覚的に識別できる帯域または領域を形成するという条件である。
【００５２】
本明細書で使用するとき、「大理石模様」という用語は、大理石に類似した脈状のおよび／または斑状の外観を有するストライプ模様のデザインを指す。
【００５３】
構成成分の物理特性、即ち色、粘度、レオロジー、質感、密度などについて多くの変化が可能であるが、色の変化が広く求められている。コンパクトな液体洗濯洗剤組成物において得られる特定のデザインまたは模様（即ち、ストライプや大理石模様などの幅、長さ）は、例えば相のレオロジー特性、分注手段の直径、充填中の容器の回転の有無、速度および恒常性、並びにそれらの組み合わせなどの多くの要因を変えることにより変えることができる。
【００５４】
リオトロピック液晶メソフェーズ−理論に制限されるものではないが、本明細書のコンパクトな液体洗濯洗剤は、物理的メソ構造を通じて、例えば、「応用界面・コロイド化学ハンドブック（Handbook of Applied Surface and Colloid Chemistry）」、Ｋ．ホルムバーグ（Ed. K. Holmberg）編、ＩＳＢＮ０４７１  ４９０８３０、ジョン・ワイリー・アンド・サンズ（John Wiley and Sons）出版、ニューヨーク州ニューヨーク（New York, NY）（２００１年）（全体として参照することにより本明細書に組み込まれる）に記載されるように、既知のリオトロピック液晶メソフェーズのいずれをも含むことができるか、または含まなくてもよい。特に、第１６章、ステフェンＴ．ハイド（Stephen T. Hyde）による「リオトロピック結晶性メソフェーズの同定（Identification of Lyotropic Crystalline Mesophases）」を参照のこと。
【００５５】
本明細書のコンパクトな液体洗濯洗剤の特定の実施形態は、Ｌ−アルファフェーズ（別名ラメラメソフェーズ）、Ｌ−ベータフェーズ（別名ジェルメソフェーズ）およびそれらの混合物を含む。さらなる特定の実施形態は、光学顕微鏡で、検出可能なジェルフェーズを有さないラメラメソフェーズの存在、またはマルタクロステクスチャを含まないラメラメソフェーズを特徴とする。他の特定の実施形態では、マルタクロステクスチャは、組成物にずれを適用した後に現れる。特定の典型的な実施形態では、小胞または球形状のグロビュールへの取り込みは観察されない。
【００５６】
一般的に、本明細書の特定の界面活性剤または両親媒性物質の詳説に記載されるように、本発明の組成物は、主として単鎖界面活性剤、両親媒性物質または洗剤に依存するが、メソ構造は二鎖型界面活性剤の制限された特性を含むことよって修飾されてもよい。さらに、本発明の特定の実施形態は、比較的に低い含有度のトポロジー多欠陥のラメラメソフェーズの存在を特徴とする。上述参考文献の３０８ページのセクション２．１．３「ラメラメソフェーズ（Lamellar mesophases）」および同章のそれ以下に記載された欠陥構造に関する説明を参照。
【００５７】
補助剤−本発明のコンパクトな洗剤組成物および方法は、機能的性質および／または審美的性質のさらなる所望の特性を与えるための１つ以上の補助剤を含んでもよい。
【００５８】
ハイドロトロープ−一実施形態では、補助剤はハイドロトロープを含む。ハイドロトロープは、液体結晶形成を低減する。例示的なハイドロトロープとしては、尿素、トルエンスルホン酸、キシレンスルホン酸、クメンスルホン酸およびこれらの混合物が挙げられる。例示的な塩としては、ナトリウム、カリウム、アンモニウム、モノエタノールアミン、トリエタノールアミンおよびこれらの混合物が挙げられる。一実施形態では、ハイドロトロープはキシレンスルホン酸、尿素、およびこれらの組み合わせから選択される。一実施形態では、任意のハイドロトロープの量は、約０％〜約１０％、より具体的には約０％〜５％、さらに具体的には約０％〜約２％、よりさらに具体的には、さらに約０％〜約１％の範囲であってもよい。
【００５９】
有機外部構造剤−驚くべきことに、本明細書のコンパクトな液体洗濯洗剤は、有機外部構造剤を必要としないということが明らかになった。本発明の好適な実施形態は、有機外部構造剤を実質的に含まない。所望に応じて、有機外部構造剤は、例えば、特定の審美的実施形態のレオロジーを実現するために組み込まれることができる。そのような構造剤は、使用される場合、本明細書の組成物の約０．０１重量％〜約１重量％、さらに具体的には約０．０１５重量％〜約０．７５重量％、よりさらに具体的には約０．０２重量％〜約０．５重量％を構成するであろう。
【００６０】
本明細書に定義される「外部」構造剤は、レオロジー変性を提供するという主要機能を有する物質であり、典型的には液体またはジェルまたはペーストなどの流体の粘度を増大させる。本明細書において好適な外部構造剤は、その中またはそれ自体に、いかなる有効な布地洗浄効果または布地ケア効果をも提供しない。外部構造剤は、つまりは、マトリックスレオロジーを変性することも可能である一方で、いくつかのさらなる主要目的のために液体製品へ組み込まれる、「内部」構造剤とは異なる。要するに、例えば、内部構造剤は液体洗剤のレオロジー特性を変える働きをするが、主に洗浄成分の種類として作用するために製品に加えられるアニオン性界面活性剤であることができる。
【００６１】
本発明の組成物に特に有用な外部構造剤の一種は、その場でマトリックス中に結晶化されると、液体マトリックスの全体にわたって糸状構造系を形成することができる非高分子（含まれてもよいアルコキシル化を除く）結晶性ヒドロキシ官能物質を含む。そのような物質は、一般に、結晶性ヒドロキシル含有脂肪酸、脂肪酸エステルまたは脂肪ろうとして特徴付けできる。そのような物質は、以下の式を有するものから一般に選択される：
Ｉ）
【化１】
2009536250.tif 000003
であり、式中、
【化２】
2009536250.tif 000004
であり、Ｒ２はＲ１またはＨであり、Ｒ３はＲ１またはＨであり、Ｒ４は、独立して、少なくとも１つのヒドロキシル基を含むＣ１０〜Ｃ２２アルキルまたはアルケニルであり、
ＩＩ）
【化３】
2009536250.tif 000005
であり、式中、
【化４】
2009536250.tif 000006
であり、Ｒ４は上述のｉ）に定義されるものであり、ＭはＮａ＋、Ｋ＋、Ｍｇ＋＋またはＡｌ３＋、またはＨであり、
ＩＩＩ）Ｚ−（ＣＨ（ＯＨ））ａ−Ｚ’であり、式中、ａは２〜４であり、具体的には２であり、ＺおよびＺ’は疎水基であって、特にＣ６〜Ｃ２０アルキルまたはシクロアルキル、Ｃ６〜Ｃ２４アルカリルまたはアラルキル、Ｃ６〜Ｃ２０アリールまたはそれらの混合物から選択される。任意に、Ｚはエーテルまたはエステルと同様に、１個以上の非極性酸素原子を含有することができる。
【００６２】
式Ｉの種類の物質が好ましい。これらは、以下の式でより具体的に定義される：
【化５】
2009536250.tif 000007
式中、（ｘ＋ａ）は１１〜１７であり、（ｙ＋ｂ）は１１〜１７であり、（ｚ＋ｃ）は１１〜１７である。具体的には、この式においてｘ＝ｙ＝ｚ＝１０および／またはａ＝ｂ＝ｃ＝５である。
【００６３】
好ましい結晶性ヒドロキシル含有構造剤の具体的な例には、ヒマシ油およびその誘導体が挙げられる。特に好ましいものは、硬化ヒマシ油および水素添加キャスター蝋などの硬化ヒマシ油誘導体である。市販のヒマシ油系結晶性ヒドロキシル含有構造剤には、レオックス社（Rheox, Inc.）（現在のエレメンティス（Elementis））製のチキシン（THIXCIN）（商標）が挙げられる。
【００６４】
結晶性ヒドロキシル含有構造剤としての使用に好適である代替的な市販物質は、上述の式ＩＩＩのものである。この種類の構造剤の例は、１，４−ジ−Ｏ−ベンジル−Ｄ−トレイトールのＲ，ＲおよびＳ，Ｓ形態、並びに光学的に活性であるかまたは活性ではない任意の混合物である。
【００６５】
前述したようなこれらの結晶性ヒドロキシル含有構造剤はすべて、それらが本明細書の組成物の水性液体マトリックス内で、またはこうした水性液体マトリックスを形成するために用いられるプレミックス内で、その場で結晶化するときに、糸状構造系を形成することによって機能すると考えられている。そのような結晶化は、これらの物質の水性混合物を構造剤の融点を超える温度に加熱し、続いて液体を撹拌下に維持しながら混合物を室温に冷却することによりもたらされる。
【００６６】
特定の条件下では、結晶性ヒドロキシル含有構造剤は、冷却すると、水性液体マトリックス中に糸状構造系を形成する。この糸状系は、繊維性または絡まった糸状の網状組織を含むことができる。「ロゼット」形態の非繊維性粒子も形成され得る。この網状組織における粒子は、約１．５：１〜約２００：１、さらに具体的には約１０：１〜約２００：１のアスペクト比を有することができる。そのような繊維および非繊維の粒子は、約１ミクロン〜約１００ミクロン、さらに具体的には約５ミクロン〜約１５ミクロンの範囲である小寸法を有することができる。
【００６７】
例示的な結晶性ヒドロキシル含有構造剤、およびそれらの水性ずり減粘マトリックスへの組み込みは、米国特許第６，０８０，７０８号およびＰＣＴ国際公開特許ＷＯ０２／４０６２７でより詳細に記載されている。
【００６８】
以上に記載された非高分子結晶性ヒドロキシル含有構造剤の他に、他の種類の有機外部構造剤を本明細書の液体洗剤組成物に利用してもよい。例えば、好適な高分子構造剤には、ポリアクリレート、多糖類または多糖類誘導体の種類のものが挙げられる。多糖類誘導体は、典型的には高分子ゴム物質を含む構造剤として使用される。そのようなゴム類には、ペクチン、アルギネート、アラビノガラクタン（アラビアゴム）、カラギーナン、ジェランガム、キサンタンガムおよびグアーガムが挙げられる。
【００６９】
高分子構造剤が本明細書で使用される場合、この種類の好ましい物質はジェランガムである。ジェランガムは、シュードモナセロディア（Pseudomonaselodea）ＡＴＣＣ３１４６１の発酵によって調製されるヘテロ多糖である。ジェランガムは、ＣＰケルコＵ．Ｓ．社（CP Kelco U.S.,Inc.）によってケルコゲル（KELCOGEL）の商標名で市販されている。ジェランガムを調製する方法は、米国特許第４，３２６，０５２号、同第４，３２６，０５３号、同第４，３７７，６３６号および同第４，３８５，１２３号に記載されている。
【００７０】
当然ながら、先に具体的に記述された物質の他に、任意の他の構造剤を使用することができる。そのような構造剤の例としては、「有機ゲル化剤（organogellant）」または「有機ゲル化剤（organogelator）」がさらに挙げられる。
【００７１】
ホウ酸誘導体および／またはｐＨジャンプシステム−１つの具体的な任意の補助剤成分は、ホウ酸誘導体であってもよく、その使用は、例えば、酵素安定化で既知である。ホウ酸塩およびポリオール（特にソルビトール）の組み合わせは、例えば、アロンソン（Aronson）らの米国特許第５，０８９，１６３号および第４，９５９，１７９号など、当該技術分野においても既知であるｐＨジャンプシステムを構成する。本明細書においてｐＨジャンプシステムを包含することは好ましくない。別の実施形態では、コンパクトな液体洗濯洗剤は、前述のホウ砂ソルビトールｐＨジャンプシステムなどのような、ｐＨジャンプシステムを実質的に含まない。
【００７２】
任意の実施形態では、本明細書に記載の組成物および方法は、洗剤組成物の約３重量％未満、より具体的には洗剤組成物の約１重量％未満のホウ酸誘導体を含んでもよく、さらにより具体的にはホウ酸誘導体を実質的に含まない。
【００７３】
「ホウ酸誘導体」は、ホウ素含有化合物、例えば、ホウ酸自体、置換ホウ酸、および少なくとも一部がホウ酸としてまたはその化学同等物、例えば置換ホウ酸として溶液に存在するその他のホウ酸誘導体を意味する。ホウ酸誘導体の例証的な実施例としては、ホウ酸、酸化ホウ素、ホウ砂、アルカリ金属ホウ酸塩（オルトホウ酸ナトリウム、メタホウ酸ナトリウムおよびピロホウ酸ナトリウム並びにペンタホウ酸ナトリウムなど）、およびそれらの混合物が挙げられる。
【００７４】
本明細書に記載されるように、これらのホウ酸誘導体は、ソルビトールなどの有機ポリオール溶媒との組み合わせでｐＨジャンプシステムとして過去に使用されてきた。本発明のコンパクトな液体洗濯洗剤組成物は、ｐＨジャンプシステム、および必然的にこれらのホウ酸誘導体の使用の必要性を削減し、それにより、費用と時間を削減することができる。
【００７５】
中和剤−一実施形態では、補助剤は中和剤であってもよい。中和剤は、中和するものによって、性質が酸性であってもよく、またはアルカリ性であってもよい。例示的な好適な中和剤としては、ＮａＯＨ、ＬｉＯＨ、ＫＯＨなどのアルカリ金属水酸化物、Ｍｇ（ＯＨ）２、Ｃａ（ＯＨ）２などのアルカリ土類水酸化物、アンモニウムまたは置換水酸化アンモニウム、例えば、モノエタノールアミン（ＭＥＡ）などのモノ−、ジ−、トリエタノールのようなアルカノールアミン、硫酸、塩酸、硝酸などの無機酸、酢酸、クエン酸、乳酸などの有機酸、およびそれらの組み合わせが挙げられる。
【００７６】
これらの中和剤は、具体的には、コンパクトな洗剤組成物の約０．０００１重量％〜約７５重量％、より具体的には約０．００１重量％〜約３０重量％で、いずれの組成物または方法において任意に存在してよい。
【００７７】
着色剤−一実施形態では、コンパクトな液体洗濯洗剤組成物は着色剤を含み、より具体的には、コンパクトな液体洗濯洗剤組成物の少なくとも１つの視覚的に明確な領域に着色剤を含む。組成物は、組成物の約０．００００１重量％〜約１０重量％の着色剤を含む。より具体的には、コンパクトな液体洗濯洗剤組成物は、組成物の約０．０００１重量％〜約１重量％、さらにより具体的には約０．００１重量％〜約０．１重量％、よりさらに具体的には約０．００５重量％〜約０．０５重量％の着色剤を含む。
【００７８】
特定の一実施形態では、着色剤は金属イオンを含む。より具体的には、着色剤は、バリウムおよびアルミニウムイオンを含まず、これにより層状の相の安定性を改善できる。着色剤は、より具体的には、ＵＶ安定性を維持する。
【００７９】
コンパクトな液体洗濯洗剤組成物での使用に好適な着色剤は、有機顔料、無機顔料、干渉顔料、レーキ、天然着色剤、パールエッセンス剤、染料、カーマイン、およびそれらの混合物から選択されてよい。紫外線によって破壊されない染料も、必要に応じて使用してよい。
【００８０】
着色剤の非限定的な実施例としては、Ｄ＆Ｃレッド３０タルクレーキ（D&C Red 30 Talc Lake）、Ｄ＆Ｃレッド７カルシウムレーキ（D&C Red 7 Calcium Lake）、Ｄ＆Ｃレッド３４カルシウムレーキ（D&C Red 34 Calcium Lake）、雲母／二酸化チタン／カーマイン顔料（エンゲルハード社（Engelhard）より市販のクロリゾンネレッド（Clorisonne Red）、エンゲルハード社（Engelhard）より市販のデュオクロームＲＢ（Duocrome RB）、ローナ（Rona）より市販のマジェンタ（Magenta）、ローナ（Rona）より市販のディクロナＲＢ（Dichrona RB））、ヒルトンデイビス社（Hilton Davis）より市販のレッド３０ローアイロン（Red 30 Low Iron）、レーキ２７（Lake 27）およびレーキ３０（Lake 30）のＤ＆Ｃレッドレーキブレンド（D&C Red Lake Blend）、ＦＤ＆Ｃイエロー５レーキ（FD&C Yellow 5 Lake）、コウェット二酸化チタン（Kowet Titanium Dioxide）、黄酸化鉄（Yellow Iron Oxide）、Ｄ＆Ｃレッド３０レーキ（D&C Red 30 Lake）、Ｄ＆Ｃレッド２８レーキ（D&C Red 28 Lake）、コスレッド酸化物ＢＣ（Cos Red Oxide BC）、コス鉄酸化物レッドＢＣ（Cos Iron Oxide Red BC）、コス鉄酸化物ブラックＢＣ（Cos Iron oxide Black BC）、コス鉄酸化物イエロー（Cos Iron Oxide Yellow）、コス鉄酸化物ブラウン（Cos Iron Oxide Brown）、コス鉄酸化物イエローＢＣ（Cos Iron Oxide Yellow BC）、ユーロオキサイドレッドアンステリル（Euroxide Red Unsteril）、ユーロオキサイドブラックアンステリル（Euroxide Black Unsteril）、ユーロオキサイドイエローアンステリル（Euroxide Yellow Steril）、ユーロオキサイドブラックステリル（Euroxide Black Steril）、ユーロオキサイドレッド（Euroxide Red）、ユーロオキサイドブラック（Euroxide Black）、疎水性ユーロオキサイドブラック（Hydrophobic Euroxide Black）、疎水性ユーロオキサイドドイエロー（Hydrophobic Euroxide Yellow）、疎水性ユーロオキサイドレッド（Hydrophobic Euroxide Red）、Ｄ＆Ｃイエロー６レーキ（D&C Yellow 6 Lake）、Ｄ＆Ｃイエロー５Ｚｒレーキ（D&C Yellow 5 Zr Lake）、ハイドアシッドブルー（Hidacid blue）、クロンプトン・アンド・ノールズ社（Crompton Knowles）およびトリコン社（Tri-Con）から市販のアシッドブルー１４５（Acid blue 145）、サンドス社（Sandoz Corp.）から市販の顔料グリーン７番（Pigment Green No. 7）、ＦＤ＆Ｃグリーン７番（FD&C Green No. 7）、アシッドブルー８０（Acid Blue 80）、アシッドバイオレット４８（Acid Violet 48）、およびアシッドイエロー１７（Acid Yellow 17）、ワーナージェンキンソン社（Warner Jenkinson Corp.）から市販のＤ＆Ｃイエロー１０（D&C Yellow No. 10）、並びにこれらの着色剤の組み合わせが挙げられる。
【００８１】
本明細書において有用な色相染料の非制限例としては、ベーシックバイオレット３（Ｃｌ  ４２５５５）（Basic Violet 3（Cl 42555））およびベーシックバイオレット４（Ｃｌ  ４２６００）（Basic Violet 4（Cl 42600））が挙げられるが、それらは両方ともスタンダードダイズ社（Standard Dyes）から市販される。
【００８２】
一実施形態では、組成物は非染色性染料および染料色忠実度安定剤を含み、さらにより具体的には染料色忠実度安定剤は、還元剤であり、さらにより具体的には亜硫酸水素ナトリウムである。本明細書で使用するとき、「非染色性染料」は、純粋に審美目的でコンパクトな液体洗濯洗剤へ加えられるいかなる染料をも示し、そのような染料はコンパクトな液体洗濯洗剤組成物の非希釈形態に直接接触する白い綿に消えない跡を作らない。このことは、コンパクトな液体洗濯洗剤組成物は汚れた布地の直接の前処理に使用すること、つまり、コンパクトな液体洗濯洗剤組成物は、洗濯前処理剤として使用することができることを保証する。
【００８３】
別の実施形態では、コンパクトな液体洗濯洗剤組成物はいかなる染料も実質的に含まない。本コンパクトな液体洗濯洗剤組成物は、汚れた布地を直接前処理するためにも使用することができ、つまりは、コンパクトな液体洗濯洗剤組成物は、洗濯前処理剤として使用することができる。
【００８４】
その他の補助剤−本発明の一実施形態では、補助剤成分は、ビルダー、増白剤、移染防止剤、キレート剤、ポリアクレートポリマー、分散剤、着色染料、色相染料、香料、加工助剤、漂白添加剤、漂白活性化剤、漂白前駆体、漂白触媒、溶媒、共溶媒、ハイドロトロープ、液体担体、相安定剤、汚れ放出ポリマー、酵素安定剤、酵素、汚れ懸濁化剤、再付着防止剤、凝縮防止ポリマー、殺菌薬、防かび剤、ＵＶ吸収体、抗黄変剤、抗酸化剤、蛍光増白剤、石鹸泡抑制剤、乳白剤、石鹸泡促進剤、防食剤、ラジカルスカベンジャー、塩素スカベンジャー、構造剤（structurant）、布地柔軟添加剤、その他の布地ケア有益剤、ｐＨ調整剤、蛍光増白剤、スメクタイト粘土、構造剤（structuring agent）、防腐剤、増粘剤、着色剤、布地柔軟添加剤、レオロジー修飾剤、充填剤、殺菌剤、およびそれらの混合物から選択されてもよい。好適な補助剤成分および使用の程度のさらなる実施例は、１９７６年２月３日に発行された米国特許第３，９３６，５３７号（バスカーヴィルジュニア（Baskerville, Jr.）ら）、１９８１年８月２５日に発行された米国特許第４，２８５，８４１号（バラット（Barrat）ら）、１９８９年７月４日に発行された米国特許第４，８４４，８２４号（マーメルスタイン（Mermelstein）ら）、米国特許第４，６６３，０７１号（ブッシュ（Bush）ら）、１９９０年３月２０日に発行された米国特許第４，９０９，９５３号（サドロウスキ（Sadlowski）ら）、１９７６年１月２０日に発行された米国特許第３，９３３，６７２号（パルトレッタ（Bartoletta）ら）、１９７９年１月２３日に発行された米国特許第４，１３６，０４５号（ゴールト（Gault）ら）、米国特許第２，３７９，９４２号、米国特許第３，３０８，０６７号、米国特許第５，１４７，５７６号（モンタギュー（Montague）ら）、英国特許第１，４７０，２５０号、英国特許第４０１，４１３号（マリオット（Marriott））、英国特許第４６１，２２１号（マリオット（Marriott）およびグアム（Guam））、英国特許第１，４２９，１４３号、および１９８８年８月９日に発行された米国特許第４，７６２，６４５号（タッカー（Tucker）ら）に記載される。
【００８５】
可能な補助剤のいくつかの非限定的な実施例は、以下である。
【００８６】
本明細書でコンパクトな液体洗濯洗剤の実施形態は、キレート剤を含む。キレート剤は、それらが優先的に遷移金属を結合するという点で、クエン酸塩などの一般ビルダーから区別される。コンパクトな液体洗濯洗剤中のキレート剤の好適なレベルは、０％〜約５％、より具体的には約０．５％〜約３％、よりさらに具体的には約１％〜約２％である。
【００８７】
好適なキレート剤の非限定的な実施例としては、Ｓ，Ｓ−エチレンジアミンニコハク酸（ＥＤＤＳ）、チロン（Tiron）（登録商標）（別名カテコール−２，５−ジスルホネートで、酸または水溶性塩として知られる）、エチレンジアミン四酢酸（ＥＤＴＡ）、ジエチレントリアミンペンタアセテート（ＤＴＰＡ）、１−ヒドロキシエチリデン１，１ジホスホン酸（ＨＥＤＰ）、ジエチレントリアミン−ペンタ−メチレンホスホン酸（ＤＴＰＭＰ）、ジピコリン酸および塩および／またはそれらの酸並びにそれらの混合物が挙げられる。好適なキレート化剤および使用レベルのさらなる例は、米国特許第３，８１２，０４４号、同第４，７０４，２３３号、同第５，２９２，４４６号、同第５，４４５，７４７号、同第５，５３１，９１５号、同第５，５４５，３５２号、同第５，５７６，２８２号、同第５，６４１，７３９号、同第５，７０３，０３１号、同第５，７０５，４６４号、同第５，７１０，１１５号、同第５，７１０，１１５号、同第５，７１２，２４２号、同第５，７２１，２０５号、同第５，７２８，６７１号、同第５，７４７，４４０号、同第５，７８０，４１９号、同第５，８７９，４０９号、同第５，９２９，０１０号、同第５，９２９，０１８号、同第５，９５８，８６６号、同第５，９６５，５１４号、同第５，９７２，０３８号、同第６，１７２，０２１号、および同第６，５０３，８７６号に記載されている。
【００８８】
本明細書で有用なその他のキレート剤は、具体的には、メチレンジホスホン酸のナトリウム、カリウムおよびリチウム塩、エチレンジホスホン酸のナトリウム、カリウムおよびリチウム塩、エタン−Ｉ，Ｉ，２−トリホスホン酸のナトリウム、カリウムおよびリチウム塩を含む水溶性ポリホスネートである。別の実施例としては、エタン−２−カルボキシ−Ｉ，Ｉ−ジホスホン酸ヒドロキシメタンジホスホン酸、カルボキシルジホスホン酸、エタン−１−ヒドロキシ−Ｉ，Ｉ，２−トリホスホン酸、エタン−２−ヒドロキシ−１，Ｉ，２−トリホスホン酸、プロパン−１，１，３，３−テトラホスホン酸、プロパン−１，１，２，３−テトラホスホン酸、およびプロパン−１，２，２，３−テトラ−ホスホン酸のアルカリ金属塩が挙げられる。
【００８９】
本明細書のコンパクトな液体洗濯洗剤の実施形態としては、クエン酸塩、ポリカルボキシレート、カルボキシメチロキシコハク酸、オキシジコハク酸、酒石酸モノコハク酸、酒石酸ジコハク酸、およびそれらの混合物などの一般ビルダーが挙げられる。コンパクトな液体洗濯洗剤中のビルダーの好適なレベルは、０％〜約２０％、より具体的には約０．５％〜約１０％、よりさらに具体的には約１％〜約８％である。本明細書のコンパクトな液体洗濯洗剤の一実施形態は、約５％未満のビルダーを含み、１つ以上のキレート剤を含む。
【００９０】
好適なビルダーの他の例としては、水溶性のアルカリ金属リン酸塩、ポリリン酸塩、ケイ酸塩および炭酸塩である。そのような塩の特定の実施例は、トリホスホン酸、ピロリン酸、オルトリン酸塩、ヘキサメタリン酸塩、四ホウ酸塩、ケイ酸塩、および炭酸塩のナトリウムおよびカリウムである。
【００９１】
好適なビルダーのその他の実施例は、米国特許第３，３０８，０６７号に記載されるポリカルボキシレートポリマーおよびコポリマーの水溶性塩である。さらに、その他のポリカルボキシレートビルダーは、クエン酸の水溶性塩、およびカルボキシメチルオキシコハク酸、イタコン酸およびマレイン酸のポリマーの塩、酒石酸モノコハク酸、酒石酸ジコハク酸およびそれらの混合物（ＴＭＳ／ＴＤＳ）を含み、満足に使用することができる。
【００９２】
本発明に使用されてもよい酵素を、以下により詳細に記述する。一実施形態では、任意の酵素は、存在する場合、プロテアーゼ、クチナーゼ、へミルラーゼ、ペルオキシダーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラクターゼ、アミラーゼ、およびそれらの混合物から選択されてよい。
【００９３】
好適な市販の酵素の非限定的な実施例としては、国際公開特許ＷＯ９４／０２５９７、および国際公開特許ＷＯ９６／２３８７３に記載されるアミラーゼ（αおよび／またはβ）が挙げられる。市販品の例は、ピュラフェクトＯｘＡｍ（Purafect Ox Am）（登録商標）［ジェネンコア（Genencor）］、並びにターマミル（Termamyl）（登録商標）、ナタラーゼ（Natalase）（登録商標）、バン（Ban）（登録商標）、フンガミル（Fungamyl）（登録商標）、およびデュラミル（Duramyl）（登録商標）［すべてノボザイムズ（Novozymes）より］である。セルラーゼとしては、細菌性または真菌性セルラーゼ、例えばフミコーラ・インソレンス（Humicola insolens）、特にＤＳＭ１８００により生成されるもの、例えば５０Ｋｄａ、および〜４３ｋＤ［ケアザイム（Carezyme）（登録商標）］が挙げられる。好適なセルラーゼはまた、トリコデルマ・ロンギプラチアタム（Trichoderma longibrachiatum）由来のＥＧＩＩＩセルラーゼである。好適なリパーゼとしては、シュードモナス（Pseudomonas）およびクロモバクター（Chromobacter）群によって産生されるものが挙げられる。好ましいのは、例えばノボザイムズ（Novozymes）からのリポラーゼ（Lipolase）（登録商標）、リポラーゼ・ウルトラ（Lipolase Ultra）（登録商標）、リポプライム（Lipoprime）（登録商標）およびリペックス（Lipex）（登録商標）である。クチナーゼ［ＥＣ３．１．１．５０］およびエステラーゼも好適である。カルボヒドラーゼ、例えばマンナナーゼ（米国特許第６０６０２９９号）、ペクテートリアーゼ（pectate lyase）（国際公開特許ＷＯ９９／２７０８３）、シクロマルトデキストリングルカノトランスフェラーゼ（国際公開特許ＷＯ９６／３３２６７）、キシログルカナーゼ（国際公開特許ＷＯ９９／０２６６３）。最終的にエンハンサーと共に用いられる漂白酵素としては、例えばペルオキシダーゼ、ラッカーゼ、オキシゲナーゼ（例えば、カテコール１，２ジオキシゲナーゼ、リポキシゲナーゼ（国際公開特許ＷＯ９５／２６３９３）、（非ヘム）ハロペルオキシダーゼが挙げられる。好適な市販のプロテアーゼとしては、ノボザイムズ（Novozymes）より市販のアルカラーゼ（Alcalase）（登録商標）、サビナーゼ（Savinase）（登録商標）、カンナーゼ（Kannase）（登録商標）、エバラーゼ（Everlase）（登録商標）、エスペラーゼ（Esperase）（登録商標）、ジェネンコア（Genencor）から市販のピュラフェクト（Purafect）（登録商標）、ピュラフェクトＯｘ（Purafext Ox）（登録商標）、プロペラーゼ（Properase）（登録商標）、ヘンケル（Henkel）から市販のＢＬＡＰおよびＢＬＡＰ変異型、ギストブロケーズ社（Gist-Brocades）から市販のマクサターゼ（Maxatase）およびマクサカル（Maxacal）、昭和電工（Showa Denko）のカズサーゼ（Kazusase）、並びに花王（KAO）から市販のＫ−１６−ライクプロアテーゼ（K-16 -like proteases）を含む。さらなる例示的なプロテアーゼは、例えば、欧州特許１３０７５６、国際公開特許ＷＯ９１／０６６３７、国際公開特許ＷＯ９５／１０５９１、国際公開特許ＷＯ９９／２０７２６、米国特許５０３０３７８（プロアテーゼ「Ａ」）、および欧州特許２５１４４６（プロアテーゼ「Ｂ」）に記載される。
【００９４】
例示的な漂白添加剤は、過酸化水素、過ホウ酸塩、過炭酸塩または６−フタルイミドペルオキシへキサン酸などのペルオキシ酸およびそれらの混合物などの漂白剤を含む。本発明の物品は、漂白剤を実質的に含まない実施形態を含む。
【００９５】
それらは、さらに製剤に、微量の土壌懸濁剤または再付着防止剤（例えば、カルボキシメチルセルロースナトリウムまたはヒドロキシプロピルメチルセルロースなど）に、含まれてもよい。
【００９６】
土壌解除剤（例えば、ポリエステルの誘導体）は、米国特許第５，１４７，５７６号（モンタギュー（Montague）ら）で見られるような解膠ポリマーのように、本明細書において使用することができる。
【００９７】
また消泡剤（例えば、シリケーンＬ７６０４（Silicane L 7604）などのシリコーン化合物）も組成物へ添加することができる。
【００９８】
特定の任意の補助剤成分は、アロンソン（Aronson）らの米国特許第５，０８９，１６３号および同第４，９５９，１７９号に記載されるような、ｐＨジャンプシステム（例えば、ホウ素化合物／ポリオール）であってもよい。ｐＨジャンプシステムの含有は、中和された脂肪酸の効果を得て界面活性剤の量を最小化するように、ｐＨが洗濯機内で急激に上がり脂肪酸を石鹸形状に中和することを確実にする。別の実施形態では、コンパクトな液体洗濯洗剤は、前述のホウ砂ソルビトールｐＨジャンプシステムなどのような、ｐＨジャンプシステムを実質的に含まない。
【００９９】
これらの補助剤は、コンパクトな洗剤組成物の約０．０００１重量％〜約９５重量％、具体的には約０．００１重量％〜約７０重量％で、本発明の組成物または方法のいずれにおいても任意に存在してもよい
本明細書の補助剤のリストは、限定する目的ではなく、その他の記載されない当該技術分野において周知の補助剤もまた組成物に含まれてもよい。
【０１００】
水不溶性容器−一実施形態では、コンパクトな液体洗濯洗剤は、水不溶性容器に放出可能に保存されてもよい。本明細書で使用するとき「水不溶性容器」は、その形状、一般的には、コンパクトな液体洗濯洗剤が水不溶性容器に残っている間、コンパクトな液体洗濯洗剤と直接接触し、コンパクトな液体洗濯洗剤を放出可能に保存する機能を失わない容器を示す。具体的には、これは、水不溶性材料が、水に不溶性である材料を含むことを意味する。
【０１０１】
水不溶性容器は、ガラス、金属、ポリマーなど、およびそれらの組み合わせなどのいずれの好適な材料から作られてよい。一実施形態では、水不溶性容器はポリマー材料を含むが、フィルムライニングを備える板紙カートンおよびガラスボトルなどのその他のパッケージも使用してよい。一実施形態では、水不溶性容器は、ポリプロピレン（ＰＰ）、ポリエチレン（ＰＥ）、ポリカーボネート（ＰＣ）、ポリアミド（ＰＡ）、ポリエチレンテレフタレート（ＰＥＴ）、ポリ塩化ビニル（ＰＶＣ）、ポリスチレン（ＰＳ）、およびそれらの組み合わせから選択されるポリマー材料である。
【０１０２】
一実施形態では、水不溶性容器は、少なくとも部分的に、より具体的には全体的に透明または半透明であってもよい。別の実施形態では水不溶性容器は、少なくとも部分的に、より具体的には全体的に不透明であってもよい。別の実施形態では、水不溶性容器は、実質的に不透明であり、コンパクトな液体洗濯洗剤組成物が水不溶性容器内にどれくらい存在するかの情報を提供することのできる、透明なまたは不透明な部分或いは窓を含む。この透明または不透明な部分或いは窓は、コンパクトな液体洗濯洗剤組成物が水不溶性容器内にどれくらい存在するかの情報を提供するのに十分である限り、いかなる好適な大きさまたは形状であってもよい。別の実施形態では、内容量がより容易に見えるように、拡大窓を水不溶性容器に配置することができる。
【０１０３】
本発明の水不溶性容器は、家庭用の液体の保存または梱包に好適ないかなる形状または大きさであってもよい。例えば、一実施形態では、水不溶性容器は１００ｍＬ〜３０００ｍＬ、より具体的には２５０ｍＬ〜１５００ｍＬの容量を有する。一実施形態では、水不溶性容器は容易な扱いに好適であり、例えば容器は、取っ手、または、片手で容器を容易に持ち上げまたは運ぶことを可能にするような寸法を備える部分を有してもよい。
【０１０４】
水不溶性容器は熱成形、吹込み成形、射出成形、射出延伸ブロー成形（ＩＳＢＭ）または、同様な任意の好適な工程によって形成されてもよい。水不溶性容器は、いずれの大きさまたは形状であってもよい。
【０１０５】
一実施形態では、水不溶性容器は、少なくとも部分的に、より具体的には全体的に透明または半透明であってもよい。別の実施形態では底部分注容器は、少なくとも部分的に、より具体的には全体的に不透明であってもよい。
【０１０６】
一実施形態では、水不溶性容器は上部分注容器、底部分注容器、側部分注容器、およびそれらの組合わせから選択される。
【０１０７】
別の実施形態では、水不溶性容器は、組成物を注入するために好適な手段および水不溶性容器を再閉口するための手段を有する。注入手段はいかなるサイズまたは形状であってもよいが、液体洗剤組成物を注入しやすいように十分広いものが好ましい。任意の閉口手段は、いかなる形状またはサイズであってもよいが、通常、水不溶性容器を閉じるために容器にネジ式で、またはカチッと閉まるように、乃至は別の方法で固定されるであろう。任意の閉口手段は、水不溶性容器から外すことができるキャップであってもよい。或いは、任意のキャップは、水不溶性容器が開口しているか閉口しているかに関わらず、水不溶性容器に付いていることができる。任意の閉口手段は、水不溶性容器に組み込まれてもよい。
【０１０８】
一実施形態では、水不溶性容器は、一般的に、そこを通じて組成物を分注するための開口部および組成物を分注するための作動手段を含む。例示的な一種の水不溶性容器は、いわゆるスクイーズ容器である。スクイーズ容器は、通常、弾力的に変形可能な材料から形成され、より具体的には、開口部を通る流れを制御するための弁を有してもよい容器の上部、側部および／または底部に開口部を有する。
【０１０９】
有用な弁の１つの種類は、弁を回転させることで作動する開閉弁である。特に有用な別の弁は、弁を通る圧力差に従って流量を制御する感圧分注弁である。そのような弁は、通常では閉口し、容器が圧迫されるときに開口の形状をとるように構成することができる。
【０１１０】
或いは、スクイーズ容器は、いわゆるボトル容器状の袋またはいわゆる無気ボトル容器であってもよい。
【０１１１】
水不溶性スクイーズ容器の任意の特徴としては、分注の間の組成物の損失を防ぐためのキャップを含む。ポンプ機構を有する剛体材料の水不溶性容器もまた、本明細書の使用に好適である。
【０１１２】
別の実施形態では、水不溶性容器は、コンパクトな液体洗濯洗剤を分注する最中、不溶性容器においてコンパクトな液体洗濯洗剤組成物と共にある上部空間の臭いに消費者が接近することを防ぐことが可能である。本明細書で使用するとき、「臭いの接近を防ぐ」とは、消費者が臭いに接近できない、即ち、分注中にコンパクトな液体洗濯洗剤の上部空間のにおいをを嗅ぐまたは検知することができないことを意味する。この臭いの接近は、容器の底部、前部、および／または側部などの容器の上部空間の位置から離れた水不溶性容器の一部分からコンパクトな液体洗濯洗剤を分注することにより防いでもよい。
【０１１３】
別の実施形態では、水不溶性容器は、コンパクトな液体洗濯洗剤組成物を保存するための変形可能な容器および分注キャップを含む。変形可能な容器は下端部および下端部の開口部を有するが、より具体的には、開口部は、液体、ジェルおよび／またはペーストを分注するために採用されるスリット弁を含む。分注キャップは、変形可能な容器の下端部へ取り外し可能に取り付けられ、下端部の少なくとも開口部を覆う。より具体的には、分注キャップは、下端部の開口部と流体連通する閉口可能な注出開口部をさらに含む。
【０１１４】
別の実施形態では、水不溶性容器は、多様な量、または１回量のコンパクトな液体洗濯洗剤組成物を分注することが可能である。別の実施形態では、水不溶性容器は、既定の量、または既定の１回量のコンパクトな液体洗濯洗剤組成物を分注することが可能である。別の実施形態では、既定の１回量は、推奨用量の半分の単位を提供するように、容器によって予め設定される。本明細書で使用するとき「推奨用量」とは、いずれの特定の使用状況において、消費が使用すべきコンパクトな液体洗濯洗剤組成物の量を示す。別の実施形態では、商品は、水の硬度および土壌レベルによって以下の推奨用量を有する。低土壌または軟水向けの用量は１０ｍＬ〜４０ｍＬであり、中質土壌または中硬度の水向けの用量２０ｍＬ〜５０ｍＬであり、高土壌または高硬度の水向けの用量３０ｍＬ〜７０ｍＬである。
【０１１５】
別の実施形態では、水不溶性容器は、約３〜約５０、具体的には、約６〜約５０のコンパクトな液体洗濯洗剤組成物の推奨用量を含むことのできる容量を有する。別の実施形態では、水不溶性容器は、２５０ｍＬ〜１５００ｍＬの容量、および推奨用量約６〜約５０回分の容量を有する。
【０１１６】
別の実施形態では、布地を洗濯するためのコンパクトな液体洗濯洗剤組成物の多様な用量を分注するための分注器具は、水不溶性容器とともに提供される。分注器具は、存在する場合、取り外し可能に水不溶性容器に備え付けられる。一実施形態では、分注器具は、分注キャップである。
【０１１７】
別の実施形態では、水不溶性容器、より具体的には、注入ボールなどの分注器具または注入器具は、特定数の推奨用量の一部が硬水、中水、および軟水での洗濯に使用されるように、推奨用量の一部を提供するためのマーキングを有する。これらのマーキングによって、洗濯機での使用のためのコンパクトな液体洗濯洗剤組成物を注入する際に、用量の順守が容易になる。別の実施形態では、水不溶性容器は、水不溶性容器に取り外し可能に取り付けられた分注器具を含み、分注器具は、それ自体にマーキングを有する。
【０１１８】
好適な水不溶性容器の例証的な実施例は、２００４年２月２日に出願された米国仮出願整理番号第６０／５４１，１１４、名称「らせん状の取っ手を有する容器（CONTAINER HAVING A HELICAL GRIP）」（ブライアン・フロイド（Brian Floyd））、米国特許第４，５５０，８６２号、および第４，９８１，２３９号、２００４年３月１６日に発行された米国特許第６，７０５，４９２号（ローリー（Lowry））、１９９０年１１月１３日に発行された米国特許第４，９６９，５８１号（セイフェルト（Seifert）ら）、２００２年１２月１７日に発行された米国特許第６，４９４，３４６号（グロス（Gross）ら、１９９７年５月６日に発行された米国特許第５，６２６，２６２号（フィッテン（Fitten）ら）、１９９７年８月１２日に発行された米国特許第５，６５５，６８７号（フィッテン（Fitten）ら）、１９８８年３月１日に発行された米国特許第４，７２８，００６号（ドロビッシュ（Drobish）ら）、２００１年８月７日に発行された米国特許第６，２６９，８３７号（アレント（Arent）ら）、１９８８年６月７日に発行された米国特許第４，７４９，１０８号（ドルンブッシュ（Dornsbusch）ら）、２００４年１月１３日に発行された米国特許第６，６７５，８４５号（ボルペンハイム（Volpenheim）ら）、米国特許第４，７３２，３１５号、同第６，０２１，９２６号、同第６，２６９，９６２号、同第４，８４６，３５９号、同第６，９６０，３７５号、同第６，２２３，９４５号、同第６，９０２，０７７号、同第６，８２４，００１号、同第６，９５９，８３４号、同第６，４９１，１６５号、同第５，０５０，７４２号、同第６，７０５，４６５号、同第６，６３０，４３７号、同第６，７５６，３５０号、同第６，３６６，４０２号、同第６，１５９，９５８号、および同第６，６０１，７０５号、１９９２年１２月１０日に公開された国際公開特許ＷＯ９２／２１５６９、名称「逆ディスペンサー（Inverted Dispenser）」（カナダ社（Canada Inc）の名義）、２００１年１２月１８日に公開された国際公開特許ＷＯ０１／０４００６、名称「容器（Container）」（ユニリーバ（Unilever）の名義）、１９８１年１月７日に公開された欧州特許２１，５４５（プロテクター・アンド・ギャンブル社（Procter and Gamble Company）の名義）、並びに１９９７年１２月１０日に公開された欧州特許８１１，５５９（ユニリーバ（Unilever）の名義）、並びに米国意匠特許第４０３，５７８号、同第４１４，４２１号、同第４２５，７９２号、同第４９１，０７１号、同第４６６，８１６号、同第４５７，０６４号、同第４３９，５２０号、同第２８６，６０２号、同第４２９，６４３号、同第４７２，１５１号、同第４１７，６２２号、同第３２２，７４８号、同第５０９，７４８号に見出すことができる。
【０１１９】
水不溶性容器、即ち、底分注容器の例証的な実施例は、２００６年５月５日に出願された、代理人整理番号１０４０３Ｐの同時係属の米国仮特許出願第＿＿／＿＿＿，＿＿＿号、名称「布地処理分注包装容器（Fabric Treatment Dispensing Package）」（アン・ドゥーリー（Ann Dewree）らの名義）に見出すことができる。
【０１２０】
一実施形態では、水不溶性容器は、それに伴うしるしを有してもよい。本明細書で使用するとき、「しるし」とは、香り、商標付け、梱包、特性、音、言葉、フレーズ、文字、キャラクター、ブランド名、社名、会社のロゴまたはシンボル、説明、ロゴ、アイコン、デザイン、デザイナー名、シンボル、モチーフ、記章、図、マーク、信号、色、質感、形状、表象、広告、およびそれらの組合わせを示す。
【０１２１】
本明細書で使用するとき、「伴う」とは、しるしなどのように、消費者にしるしを伝達することができるよう、商品、水不溶性容器自体、または商品或いはその一部に付けられたラベルに、直接印刷されるか、またはそれに付けられるかのいずれかであり、および／或いは冊子、印刷広告、電子広告および／または口頭の伝達を含む、異なる方法で存在するということを意味する。
【０１２２】
一実施形態では、しるしは、言葉、フレーズ、ブランド名、会社名、説明、香料名、デザイナー名、広告、およびそれらの組合わせから選択される。しるしは、１言語以上であってもよい。
【０１２３】
一実施形態では、水不溶性容器に伴うしるしは、分注情報、保存情報、布地情報、製品情報、関連製品情報、およびそれらの組合わせから選択される情報を含む。
【０１２４】
別の特定の任意の実施形態では、１つ以上のしるしが、水不溶性容器、より具体的には、変形可能な容器および／または分注キャップに、直接的に印刷されてもよい。別の特定の任意の実施形態では、１つ以上のしるしが、水不溶性容器、より具体的には、変形可能な容器および／または分注キャップに、エンボス加工されてもよい。
【０１２５】
一実施形態では、水不溶性容器、より具体的には変形可能な容器および／または分注キャップに伴うしるしは、ラベルによるものである。ラベルは、しるしなどのために店頭における便利な場所を提供する。用語「ラベル」は、例証的な例として、容器の上にしるしを直接置く方法（例えば、印刷またはモールド成形）、基材上にしるしを印刷する方法を含み（これにおいて基材は、水不溶性容器、より具体的には変形可能な容器および／または分注キャップの外側面上、或いは水不溶性容器、より具体的には変形可能な容器および／または分注キャップを含む箱のようなパッケージに置かれるか、或いはそれに伴う）、任意に表現される任意の１つ以上のしるしを含む有形的表現媒体を含み、広範囲の意味で、本明細書において使用することができる。一実施形態では、嗅覚的香り記述子は、ラベル（例えば、包装）によって提供されてもよい。例えば、ラベル自体が香料を付けられてもよく、即ち、香りを有することができる。
【０１２６】
本発明の任意のラベルは、一般的に、水不溶性容器、より具体的には変形可能な容器および／または分注キャップの形状を模倣してもよい。好適なラベルの例証的な実施例としては、部分的に巻かれるラベル、巻かれるラベル、収縮包装フィルムのラベル、ステッカー、インモールドラベル下げ札、製品名を載せるラベル、およびそれらの組合わせが挙げられる。
【０１２７】
一実施形態では、しるしがラベル上に印刷され、水不溶性容器、より具体的には変形可能な容器および／または分注キャップ（水不溶性容器、より具体的には変形可能な容器および／または分注キャップが透明／半透明である場合）は、消費者がラベルを通してしるしがない場所を実質的に目で見ることができるように、ラベルは、透明基材である。理論に束縛されるものではないが、消費者への伝達において、透明なラベルであれば、組成物の色または水不溶性容器の色合いが最大化され得る。
【０１２８】
別の実施形態では、ユーザーにさらに伝達するように、ラベルは背景色を有する。例えば、香りまたは香り識別子がモクレンおよびオレンジの場合、オレンジ色がオレンジの果実および／またはオレンジの花、即ちオレンジの香りと視覚的に関連付けられることを前提として、この香りの体験をユーザーにさらに伝達できるように、ラベルはオレンジ色の背景色を有することができる。
【０１２９】
別の特定の任意の実施形態では、１つ以上のしるしが、水不溶性容器、より具体的には、変形可能な容器および／または分注キャップに、直接的に印刷されてもよい。別の実施形態では、１つ以上のしるしが、水不溶性容器、より具体的には、変形可能な容器および／または分注キャップに、エンボス加工されてもよい。
【０１３０】
任意の一実施形態では、ラベルは、水不溶性容器上、より具体的には変形可能な容器および／または分注キャップ上で「収縮包装」される。別の任意の実施形態では、ラベルは水不溶性容器、より具体的には変形可能な容器および／または分注キャップに接着剤によって、接着される。
【０１３１】
水不溶性容器、および／または例えば分注キャップなどのそれらの一部の、多様で任意の実施形態は、図１〜１０を参照して、さらに説明され例示される。
【０１３２】
図１は、取り外し可能に取り付けられた変形可能な容器１１０および分注キャップ１２０を含む水不溶性容器１００の例証的な一実施例である。変形可能な容器１１０は、その中に開口部１４０を備える下端部１３０を有する。分注キャップ１２０は、開口部１４０を覆い、変形可能な容器１１０の下端部１３０に取り外し可能に付けられる。また、分注キャップ１２０は、直立の状態で面１５０上に置かれて示される。
【０１３３】
図１は、それに伴うしるし１６０および１６５を有する水不溶性容器１００の例証的な実施例である。しるし１６０および１６５は、同一、または異なるものであってもよいが、変形可能な容器１１０および分注キャップ１２０に伴う。本実施形態において、それに伴うしるし１６０および１６５は、接着剤によって変形可能な容器１１０および分注キャップ１２０に固定される２つのラベルである。
【０１３４】
また、図１の変形可能な容器１１０は、下端部１３０から遠位の上端部１７０を有する。さらに、変形可能な容器１１０は上端部１７０が面１５０上に接触して直立の状態で面１５０上に置かれることが可能であり、つまりここで、図１に示されるように、変形可能な容器１１０に対して逆になる。
【０１３５】
前述のように、変形可能な容器１１０および／または分注キャップ１２０のなどの水不溶性容器１００の任意の部分は、半透明または透明であることが可能である。
【０１３６】
図２は、線２に沿った、図１の水不溶性容器１００の可能な一実施形態の断面図である。この断面図は、コンパクトな液体洗濯洗剤組成物１８０およびコンパクトな液体洗濯洗剤組成物１８０が分注される任意の弁１７５を示す。水不溶性容器１００はまた、コンパクトな液体洗濯洗剤組成物１８０に直接接触し、コンパクトな液体洗濯洗剤組成物１８０を保存して示される。また変形可能な容器１１０の壁１９０も示されている。
【０１３７】
図３は、水不溶性容器３００の別の代替実施例であり、変形可能な容器３１０および取り外し可能にそれに取り付けられた分注キャップ３５０を含む。変形可能な容器３１０は、例えば、スナップ式取り付けによって、開口部３４０を備える直立の状態の変形可能な容器３１０を支えるベース３３０を有する分注末端部３２０に取り付けられる。分注キャップ３５０は、開口部３４０および弁４３０を覆う（図５）。分注キャップ３５０は、変形可能な容器３１０を直立の状態で支持する。分注キャップ３５０は、分注開口部３４０上に弁４３０および開口部３４０を覆って変形可能な容器３１０に取り外し可能に取り付けられる。分注キャップ３５０は、面３６０および、面から延設して分注キャップ３５０の内側３８０を画定する円筒型壁３７０を有するカップ型部材４１０から形成される。分注キャップ３５０の面３６０もまた、直立の状態で面３９０上に置かれて示される。分注キャップ３５０は、コンパクトな液体洗濯洗剤組成物４５０（図５）を受け取り分注し、より具体的には、コンパクトな液体洗濯洗剤組成物４５０を洗濯機内で分注することが可能である。
【０１３８】
水不溶性容器３００は、それに伴うしるし４００および４０５を有する。しるし４００および４０５は、同一、または異なるものであってもよいが、変形可能な容器３１０および分注キャップ３５０に伴う。本実施形態において、それに伴うしるし４００および４０５は、接着剤によって変形可能な容器３１０および分注キャップ３５０に固定される２つのラベルである。
【０１３９】
図４は、図３の水不溶性容器３００の分解図であり、変形可能な容器３１０に取り外し可能に取り付けられた分注キャップ３５０を示す。
【０１４０】
図５は、線５に沿った、図４の水不溶性容器３００の可能な一実施形態の断面図である。この断面図は、コンパクトな液体洗濯洗剤組成物４５０を保存するための内側キャビティ４４０、およびコンパクトな液体洗濯洗剤組成物４５０が分注される任意の弁４３０を示す。また変形可能な容器３１０の壁４２０も示されている。弁４３０は、コンパクトな液体洗濯洗剤組成物４５０が、分注開口部３４０を通り抜けないようにするように、閉口した状態で示される。
【０１４１】
図６は、線６に沿った、図５の弁４３０の１つの可能な実施形態の断面図である。弁４３０は、それを通る小さなクロススリット４６０を有する。
【０１４２】
図７は、線５に沿った、図４の水不溶性容器３００の可能な一実施形態の断面図である。弁４３０は、コンパクトな液体洗濯洗剤組成物４５０が内側キャビティ４４０から分注開口部３４０を通って流れることが可能であるように、開口した状態で示される。
【０１４３】
特定の任意の一実施形態における弁４３０は、通常の重力下でのコンパクトな液体洗濯洗剤組成物４５０の圧力以上の圧力に曝された場合のみ、コンパクトな液体洗濯洗剤組成物４５０が開口部４３０を通過することを可能にする。
【０１４４】
或いは、別の特定の任意の実施形態における弁４３０は、バイモーダル弁であって、図５に図示されるように、変形可能な容器３１０が意図的ではない外力に曝された場合に、漏れることなくコンパクトな液体洗濯洗剤組成物４５０を保持することのできる第１作用モード、および、図７に図示されるように、変形可能な容器３１０が意図的にユーザーにより適用される外力に曝される場合に、コンパクトな液体洗濯洗剤組成物４５０を分注することのできる第２作用モードを有するバイモーダル弁である。
【０１４５】
図８は、人間の手５００によって握られ、コンパクトな液体洗濯洗剤組成物４５０を分注する図３の水不溶性容器３００の例証的な実施例である。（注意：人間の手、またはその一部は、本発明の範囲の一部ではない。）
図９は、別の可能な水不溶性容器の例証的な実施例である。図９では、水不溶性容器７００は、側部分注球形変形可能な容器６１０および長方形分注キャップ６２０を含む。
【０１４６】
図１０は、水不溶性容器８００の別の例証的な実施例であり、この場合、上部分注容器は、変形可能な容器８１０およびそれに取り外し可能に取り付けられた分注キャップ８２０を含む。変形可能な容器８１０は、その中に開口部８４０を備える上端部８７０を有する。分注キャップ８２０は、開口部８４０を覆い、変形可能な容器８１０の上端部８７０に取り外し可能に取り付けられる。また変形可能な容器８１０の底部は、直立の状態で面８５０上に置かれて示される。
【０１４７】
図１０は、それに伴うしるし８６０および８６５を有する水不溶性容器８００の例証的な実施例である。しるし８６０および８６５は、同一、または異なるものであってもよいが、変形可能な容器８１０および分注キャップ８２０に伴う。本実施形態において、それに伴うしるし８６０および８６５は、接着剤によって変形可能な容器８１０および分注キャップ８２０に固定される２つのラベルである。
【０１４８】
また、図１０の変形可能な容器８１０は、上端部８７０から遠位の下端部８３０を有する。また変形可能な容器８１０も、面８５０上に接触する下端部８３０を備え直立の状態で面８５０上に置くことができる。
【０１４９】
前述のように、変形可能な容器８１０および／または分注キャップ８２０などの水不溶性容器８００の任意の部分は、半透明または透明であることができる。
【０１５０】
一連の消費者製品−本発明の任意の一態様は、一連の消費者製品を含み、特に少なくとも１つの本明細書に記載される商品を含む。一実施形態では、一連の消費者製品に存在するそれぞれの商品は、いくつかの方法において相違がある。この相違は、例えば、水不溶性容器またはその一部（変形可能な容器および／または分注キャップなど）の形状、水不溶性容器またはその一部の容量、水不溶性容器またはその一部の寸法、水不溶性容器またはその一部の色、水不溶性容器またはその一部に伴うしるし、異なるコンパクトな液体洗濯洗剤組成物など、およびそれらの組合わせであり得る。
【０１５１】
一実施形態では、一連のものとは、一連の洗濯製品、よりさらに具体的には、少なくとも２つ以上の商品間の関係の可視表示を提供する、少なくとも２つ以上の商品に伴うしるしを有する一連の洗濯製品である。
【０１５２】
透明または不透明−本明細書で使用するとき、「透明または不透明」とは、可視スペクトルにおいて（約４１０ｎｍ〜８００ｎｍ）電磁放射線の少なくとも１つの波長が約２５％よりも大きい透過性、より具体的には、電磁スペクトルの可視部分において約２５％以上、さらにより具体的には約３０％以上、さらにより具体的には約４０％以上、またさらにより具体的には約５０％以上の透過性を示し、これにおいて透過性率は、以下に等しい。
【数１】
2009536250.tif 000008
【０１５３】
或いは、容器、組成物などは、可視電磁スペクトルのボトルの吸光度が約０．６未満である場合、半透明または透明であるとみなされてよい。半透明または透明物質の例証的な実施例は、透明ボトルまたは透明組成物である。半透明または透明な対象の別の実施例は、青い色合いまたは赤い色合いを有するように着色されているが、可視スペクトルにおいて電磁放射線の少なくとも１つの波長が約２５％よりも大きい透過性をさらに有するボトルまたは組成物である。
【０１５４】
一実施形態では、コンパクトな液体洗濯洗剤組成物は透明または半透明であり、約４１０ナノメートル〜約８００ナノメートルの波長で１ｃｍキュベットを使用して、少なくとも約５０％透過性の光の透過性を有する。
【０１５５】
半透明または透明および不透明な容器および／または組成物などのさらなる例示的な情報および実施例は、マーフィー（Murphy）らに発行された米国特許第６，６３０，４３７号、ギブリン（Giblin）らに発行された同第６，７５６，３５０号、ギブリン（Giblin）らに発行された同第６，６３１，７８３号、およびぺ・リー（Bae-Lee）らに発行された同第６，１５９，９５８号に見出すことができる。
【０１５６】
本明細書で使用するとき、「不透明」とは、可視スペクトルにおいてすべての電磁放射線の波長の約２５％未満である透過性、より具体的には、電子スペクトルの可視部分において約２０％未満、さらにより具体的には約１５％未満、さらにより具体的にはさらに約１０％未満、またさらにより具体的にはさらに約５％未満である透過性を示す。或いは、容器、組成物などは、可視電磁スペクトルのボトルの吸光度が約０．６より大きい場合、不透明であるとみなされてよい。
【０１５７】
方法論−吸光度および透過性の測定−機器：ミルトンロイスペクトロニック６０１（Milton Roy Spectronic 601）
手順：
１．分光分析装置および電源ボックスの両方にスイッチを入れ、３０分間ウォームアップさせる。
２．波長を設定する：キーパッドで所望の波長を入力する（即ち、５９０、６４０など）。［第２機能（second function）］キーを押す。「λへ進む（go to）」［はい（yes）］キーを押す。その後機械は、選択された波長で読み込む準備ができる。
３．機器をゼロに合わせる：［第２機能（second function）］キーを押す。「ゼロＡ（zero A）」［％Ｔ／ＡＩＣ］を押す。その後機器は、「ＸＸＸＮＭ  ０．０００Ａ  Ｔ」を読み込む。
４．カバーを開き、試料をセンサーの前に垂直に置く。
５．蓋を閉じ、読み込み（例えば、６４０ＮＭ  ０．１２３Ａ  Ｔ）を記録する。
注意：すべての読み込みは「Ａ」モード（吸光度モード）で取られる。新しい波長への変更および／または新しい試料の度に機器をゼロに合わせる。
【表１】
2009536250.tif 000009
【０１５８】
組成物の使用−コンパクトな液体洗濯洗剤は、洗濯洗浄製品として使用されてもよい。使用中、コンパクトな液体洗濯洗剤の測定された量が布地、衣類などに沈着、または洗濯機内に入れられ、水と混合されて、洗濯洗浄に作用する。コンパクトな液体洗濯洗剤は、前面投入型洗濯機、またはいわゆる高性能、つまりＨＥ（High Efficiency）洗濯機での使用に特に好適であるということに留意するべきである。
【０１５９】
粘度測定−本明細書の液体洗剤の粘度、即ち、ＶｎおよびＶｄは、ＴＡインスツルメンツ社（TA Instruments Ltd.）（ビルトンセンター（Bilton Center）、クリ−ブロード（Cleeve Road）、レザーヘッド（Letherhead）、サリー（Surrey）ＫＴ２２  ７ＵＱ、英国）より製造されるＴＡ  ＡＲ５５０レオメーター（TA AR550 Rheometer）を使用して測定される。
【０１６０】
使用されるソフトエウェアが機器に備えられ、「レオロジーアドバンテージインスツルメントコントロールＡＲ（Rheology Advantage Instrument Control AR）」と呼ばれる。
【０１６１】
本装置は、各測定の前に、マニュアル「ＡＲ５５０レオメーターインスツルメントおよびアクセサリマニュアル（AR550 Rheometer Instrument and accessory manual）」（２００４年１月、ＰＮ５０００３４．００１  ｒｅｖ  Ｆ）、２５ページ〜２９ページ、４０ページ〜４４ページ、およびマニュアル「レオロジーアドバンテージインスツルメントコントロールスタートアップガイド（Rheology advantage Instrument Control Getting Started Guide）」（２００４年１月、改訂Ｅ）、９ページ〜１４ページ、２０ページ、２５ページ〜２８ページ、３７ページ〜３８ページに報告される説明書に従って、設定される。使用される設定およびパラメータは本明細書に記載される。
【０１６２】
ソフトウェアの「ジオメトリ」のセクション（「レオロジーアドバンテージインスツルメントコントロールスタートアップガイド（Rheology advantage Instrument Control Getting Started Guide）」（２００４年、改訂Ｅ）、９ページを参照のこと）では、回転プレート（４０ｍｍ鋼プレート）と試料プラットフォーム（ペルティエプレート）との間の間隙は、５００ミクロンに設定される。手順は連続的なランプ試験であり、即ち、試料のレオロジーが増加するずり速度に対して測定されるやり方である。ずり速度の設定は、連続的なランプ試験の３分間の総持続時間で、また各ずり速度の１０倍増毎の２０ポイントのサンプリング（自動的に行われる）で０．０４ｓ−１〜３０ｓ−１の範囲であり、合計６０測定で提供される。温度は２１℃に設定される。
【０１６３】
本発明によるコンパクトな液体洗濯洗剤組成物の試料、または比較のための本発明によらない洗濯洗剤の試料は、本明細書に記載される充填手順によってレオメーターに充填される。試料充填手順（マニュアルに詳細に記述される通り）は、以下である。
１．温度を確認し（「機器の状態（instrument status）」セクションを参照のこと）、設定温度と一致しているかを確認する。温度が正しくない場合、設定は、マニュアルの設定に従って変える必要がある。
２．試料は、先端で４ｍｍの最小直径を備えるプラスチックピペットを使用して充填される（充填動作による応力の試料のレオロジーへの影響を最小化するため）。最少量である５ｍＬが、回転プレートの製品のすべてをカバーすることを保証するために、ペルティエプレートの中央に適用される必要がある。
３．回転プレート（測定システムに接続されたプレート）は、設定された距離に移動される（上述通り）。
４．過剰な試料（即ち、回転プレートの縁部に存在するいかなる試料）は、マニュアルの説明に従って、試料の充填を修正するへらで取り除かれる。
【０１６４】
測定の工程は、以下である。
５．試料を充填した後、動かさずに１０秒間放置する必要がある。結果に影響を及ぼすため、装置が測定中に振動に曝されないことを確認し、稼動を開始する。測定が振動の影響を受けた場合、振動源を排除しながら、実験を繰り返す。
６．稼動終了時に、プログラムは自動的に停止する。すべての粘度データは、自動的に保存される。
７．プレートは、水およびエタノールで洗浄され、それから、ペーパータオルで乾燥される。
【０１６５】
本明細書に引用される粘度データＶｎは、２０ｓ−１のずり速度で決定される。
【０１６６】
特許実施例に引用されるデータは、２０ｓ−１のずり速度を参照する。測定が、正確に２０ｓ−１で得られなかった場合、データは２０ｓ−１のポイントに最近似位であるデータポイントの補間に基づいて計算される。
【０１６７】
表１は、詳細な製品組成物を示す。組成物１は、本発明の代表的なものである。組成物ＡおよびＢは比較組成物である。
【表２】
2009536250.tif 000010
【０１６８】
組成物１並びに参照組成物ＡおよびＢの粘度Ｖｎは、上述の報告されたプロトコルに従って測定される。
【０１６９】
次に、組成物は以下のプロトコルに従って、水で希釈される。
【０１７０】
１００グラムの組成物は、プラスチックビーカーで加重される。ビーカーは、製品内への空気の封入を避けるために低速２００ｒｐｍで回転する機械的撹拌器で撹拌される。撹拌中に、５０ｍＬの脱イオン水が組成物へ加えられる。組成物は、組成物が完全に均質になるまで、４分間撹拌される。組成物は、粘度測定を開始する前に１５分間、静止される。全手順は、室温で実行される。
【０１７１】
粘度データＶｎおよびＶｄは、表２に報告される。
【表３】
2009536250.tif 000011
【０１７２】
表１、組成物１のクリーニング性能が試験された。以下の条件を使用した：ボッシュシーメンズ社（Bosch Siemens）の製造のＢｏｓｃｈ  ＭａｘｘＷＦＬ２４５０洗濯機（Bosch Maxx WFL2450 WFL2450 washing machine）などの西欧の水平軸洗濯機、２．５ｍモル／リットルの硬度の水、４０℃の洗浄温度、通常の綿用サイクル、１６種類の異なる汚れを含んだ１．５ｋｇの綿製品の洗濯物。組成物１は、１洗浄あたり３５グラムの投与用量で試験され、同じ条件下で同じ染みで、１洗浄あたり８０グラムの投与用量で試験された市販のアリエール液体コンパクト（Ariel liquid Compact）（プロクター・アンド・ギャンブル社（Procter & Gamble Ltd.））の試料と比較される。組成物１および比較のアリエール液体コンパクト組成物の両方は、市販の分注ボールなどのそれらの投与器具にそれぞれ入れられ、これらは洗浄ドラムに直接入れられる。その後、汚れた布地を加え、洗濯機のサイクルが始動する。洗浄の終了時に、組成物１で洗浄された汚れた布地、およびアリエール液体で洗浄された汚れた布地は、２つの専門洗濯評価機のパネルで比較され、２つの製品によって結果として生じる染み除去（すべての染みにわたって平均する）は、同等であると判断された。
【０１７３】
本発明の例示的なその他の組成物を、表３および表４に例示する。
【表４】
2009536250.tif 000012
【表５】
2009536250.tif 000013
【０１７４】
「発明を実施するための最良の形態」で引用したすべての文献は、関連部分において本明細書に参照により組み込まれるが、いずれの文献の引用も、それが本発明に対する先行技術であることを容認するものと解釈されるべきではない。この文書における用語のいずれかの意味または定義が、参照により組み込まれる文献における用語のいずれかの意味または定義と対立する範囲については、本文書におけるその用語に与えられた意味または定義を適用するものとする。
【０１７５】
本発明の組成物は、本発明の構成成分並びに本明細書で記載されるその他の成分を包含することができ、それらから本質的になることができ、またはそれらからなることができる。本明細書で使用するとき、「から本質的になる」とは、組成物または構成成分が追加成分を包含してよいが、それら追加成分が特許請求される組成物または方法の基本的および新規な特徴を大きく変化させない場合に限ることを意味する。特に記載のない限り、冠詞「ａ」、「ａｎ」、および「ｔｈｅ」は、「１つまたはそれ以上」を意図する。
【０１７６】
ここで記述されるすべての百分率は、特に指定のない限り、重量百分率である。本明細書全体を通じて記載されているあらゆる最大数値限定には、それより小さいあらゆる数値限定が、そのようなより小さい数値限定が本明細書に明確に記載されているかのように含まれると理解すべきである。本明細書全体を通じて記載されるあらゆる最小数値限定には、それよりも大きいあらゆる数値限定が、あたかもこうしたそれよりも大きい数値限定が本明細書に明確に記載されているかのように、包含される。本明細書全体を通じて記載されるあらゆる数値範囲には、こうしたより広い数値範囲内に入るそれよりも狭いあらゆる数値範囲が、あたかもこうしたそれよりも狭い数値範囲がすべて本明細書に明確に記載されているかのように、包含される。温度は、特に指定しない限り、すべて摂氏（℃）である。
【０１７７】
本発明の特定の諸実施形態を図示し、記載したが、本発明の趣旨および範囲から逸脱することなく他の様々な変更および修正を実施できることが当業者には自明である。従って、本発明の範囲内にあるそのようなすべての変更および修正を添付の特許請求の範囲で扱うものとする。
【図面の簡単な説明】
【０１７８】
【図１】１つの可能な水不溶性容器の正面図の例証的な実施例。
【図２】図１の水不溶性容器の断面。
【図３】別の可能な水不溶性容器の正面図の例証的な実施例。
【図４】図３水不溶性容器の分解図。
【図５】閉口位置の弁を示す図３の水不溶性容器の断面。
【図６】図３の水不溶性容器の弁の断面。
【図７】開口位置の弁を示す図３の水不溶性容器の断面。
【図８】人間の手によって握られる図３に図示される水不溶性容器の例証的な実施例。
【図９】別の水不溶性容器の例証的な実施例。
【図１０】さらに別の水不溶性容器の例証的な実施例。
【図１】
2009536250.tif 000014
【図２】
2009536250.tif 000015
【図３】
2009536250.tif 000016
【図４】
2009536250.tif 000017
【図５】
2009536250.tif 000018
【図６】
2009536250.tif 000019
【図７】
2009536250.tif 000020
【図８】
2009536250.tif 000021
【図９】
2009536250.tif 000022
【図１０】
2009536250.tif 000023
【国際調査報告】
2009536250.tif 000024
2009536250.tif 000025